(57)【要約】      （修正有）【課題】全体として省エネルギー化を図ることができるエリア別環境提供制御システム、アンビエント環境提供装置、タスク環境提供装置、エリア別環境提供制御方法及びエリア別環境提供制御プログラムを提供する。【解決手段】アンビエント環境提供装置群等は、複数の第１エリア等に空調環境を提供する。タスク環境提供装置群等は、複数の第２エリア等に空調環境を提供する。相関関係記憶部では、第１相関関係と第２相関関係とを記憶する。第１相関関係は、アンビエント環境提供装置群等の空間的な配置とタスク環境提供装置群等の空間的な配置との相関関係である。第２相関関係は、タスク環境提供装置群等の運転状態と空間的な配置との相関関係である。制御部は、第１相関関係と第２相関関係とに基づいて、アンビエント環境提供装置群等を制御することにより空調制御を行う。【選択図】図１
2005201509.tif 000002
【特許請求の範囲】
【請求項１】
複数の第１エリア（ＡＡ１，・・・）に環境を提供するアンビエント環境提供装置群と、前記複数の第１エリア（ＡＡ１，・・・）に含まれる複数の第２エリア（ＴＡａ，・・・）に環境を提供するタスク環境提供装置群と、を制御するエリア別環境提供制御システム（１，１００，２００，３００）であって、
前記アンビエント環境提供装置群の空間的な配置と前記タスク環境提供装置群の空間的な配置との相関関係である第１相関関係と、前記タスク環境提供装置群の運転状態と空間的な配置との相関関係である第２相関関係と、を記憶する相関関係記憶部（１６ａ，２６２ｄ，・・・，３６２ｆ，・・・）と、
前記第１相関関係と前記第２相関関係とに基づいて、それぞれの前記第１エリア（ＡＡ１，・・・）に対して、前記アンビエント環境提供装置群を制御することにより環境提供制御を行う制御部（１３，６２ｂ，・・・，６２ｃ，・・・，１１３，１６２ｂ，・・・，１６３ｃ，・・・，２１３，２６２ｂ，・・・，２６２ｃ，・・・，３６２ｂ，・・・，３６２ｃ，・・・）と、
を備えた、
エリア別環境提供制御システム（１，１００，２００，３００）。
【請求項２】
少なくとも前記タスク環境提供装置群の運転状態を取得する運転状態取得部（７１ｇ，・・・，２２ａ，・・・）と、
前記アンビエント環境提供装置群の空間的な配置と、前記タスク環境提供装置群の空間的な配置と、を取得する空間配置取得部（１４，７１ｈ，・・・，２２ａ，・・・，３６２ｅ，・・・）と、
をさらに備えた、
請求項１に記載のエリア別環境提供制御システム（１，１００，２００，３００）。
【請求項３】
前記制御部（１３，・・・）は、前記第１相関関係と前記第２相関関係とに基づいて、それぞれの前記第１エリア（ＡＡ１，・・・）及びそれぞれの前記第２エリア（ＴＡａ，・・・）に対して、前記アンビエント環境提供装置群及び前記タスク環境提供装置群を制御することにより環境提供制御を行う、
請求項１又は２のいずれかに記載のエリア別環境提供制御システム（１，１００，２００，３００）。
【請求項４】
前記アンビエント環境提供装置群は、前記複数の第１エリア（ＡＡ１，・・・）に空調環境を提供するアンビエント空調装置群であり、
前記タスク環境提供装置群は、前記複数の第２エリア（ＴＡａ，・・・）に空調環境を提供するタスク空調装置群である、
請求項１から３のいずれかに記載のエリア別環境提供制御システム（１，１００，２００，３００）。
【請求項５】
前記タスク空調装置群の運転状態は、前記タスク空調装置群のそれぞれのＯＮ／ＯＦＦ状態、前記タスク空調装置群のそれぞれから供給される空調空気の温度、前記タスク空調装置群のそれぞれから供給される空調空気の湿度、前記タスク空調装置群のそれぞれから供給される空調空気の風向、前記タスク空調装置群のそれぞれから供給される空調空気の風量及び前記タスク空調装置群のそれぞれから供給される空調空気の清浄度のうち少なくとも１つを含む、
請求項４に記載のエリア別環境提供制御システム（１，１００，２００，３００）。
【請求項６】
前記アンビエント環境提供装置群のそれぞれの成績係数は、前記タスク環境提供装置群のそれぞれの成績係数よりも大きい、
請求項３から５のいずれかに記載のエリア別環境提供制御システム（１，１００，２００，３００）。
【請求項７】
前記タスク環境提供装置群の運転状態は、少なくともタスク環境提供装置群のそれぞれのＯＮ／ＯＦＦ状態を含み、
前記制御部（１３，・・・）は、前記第１エリア（ＡＡ１，・・・）においてＯＮされている前記タスク環境提供装置群の割合が所定の値以上の場合に、前記第１エリア（ＡＡ１，・・・）における前記タスク環境提供装置群の運転を抑え、前記第１エリア（ＡＡ１，・・・）における前記アンビエント環境提供装置群の運転を強める、
請求項６に記載のエリア別環境提供制御システム（１，１００，２００，３００）。
【請求項８】
前記タスク環境提供装置群の運転状態は、少なくともタスク環境提供装置群のそれぞれのＯＮ／ＯＦＦ状態を含み、
前記制御部（１３，・・・）は、前記第１エリア（ＡＡ１，・・・）においてＯＮされている前記タスク環境提供装置群の割合が所定の値以下の場合に、前記第１エリア（ＡＡ１，・・・）における前記アンビエント環境提供装置群の運転を抑える、
請求項１から７のいずれかに記載のエリア別環境提供制御システム（１，１００，２００，３００）。
【請求項９】
前記制御部（１３，・・・）は、前記第１相関関係と前記第２相関関係とに基づいて、前記複数の第１エリア（ＡＡ１，・・・）のそれぞれに対して、前記アンビエント空調装置群のそれぞれから供給される空調空気の風向及び前記アンビエント空調装置群のそれぞれから供給される空調空気の風量の少なくとも１つを変えることにより環境提供制御を行う、
請求項４から８のいずれかに記載のエリア別環境提供制御システム（１，１００，２００，３００）。
【請求項１０】
前記相関関係記憶部は、前記アンビエント環境提供装置群の運転状態と空間的な配置との相関関係である第３相関関係をさらに記憶し、
前記制御部（１３，・・・）は、前記第１相関関係と前記第２相関関係と前記第３相関関係とに基づいて、それぞれの前記第１エリア（ＡＡ１，・・・）に対して、前記アンビエント環境提供装置群を制御することにより環境提供制御を行う、
請求項１から９のいずれかに記載のエリア別環境提供制御システム（１，１００，２００，３００）。
【請求項１１】
複数の第１エリア（ＡＡ１，・・・）に環境を提供するアンビエント環境提供装置群と、前記複数の第１エリア（ＡＡ１，・・・）に含まれる複数の第２エリア（ＴＡａ，・・・）に環境を提供するタスク環境提供装置群と、を制御するエリア別環境提供制御システム（１，１００，２００，３００）であって、
前記アンビエント環境提供装置群の空間的な配置と前記タスク環境提供装置群の空間的な配置との相関関係である第１相関関係と、前記アンビエント環境提供装置群の運転状態と空間的な配置との相関関係である第３相関関係と、を記憶する相関関係記憶部（１６ａ，２６２ｄ，・・・，３６２ｆ，・・・）と、
前記第１相関関係と前記第３相関関係とに基づいて、それぞれの前記第２エリア（ＡＡ１，・・・）に対して、前記タスク環境提供装置群を制御することにより環境提供制御を行う制御部（１３，６２ｂ，・・・，６２ｃ，・・・，１１３，１６２ｂ，・・・，１６３ｃ，・・・，２１３，２６２ｂ，・・・，２６２ｃ，・・・，３６２ｂ，・・・，３６２ｃ，・・・）と、
を備えた、
エリア別環境提供制御システム（１，１００，２００，３００）。
【請求項１２】
１以上の第１エリア（ＡＡ１，・・・）に環境を提供するアンビエント環境提供装置であって、
前記１以上の第１エリア（ＡＡ１，・・・）に環境を提供するアンビエント環境提供部（７１ｅ，・・・）と、
前記１以上の第１エリア（ＡＡ１，・・・）に少なくとも一部が含まれる複数の第２エリア（ＴＡａ，・・・）に環境を提供するタスク環境提供装置群の空間的な配置と前記アンビエント環境提供部の空間的な配置との相関関係である第１相関関係と、前記タスク環境提供装置群の運転状態と空間的な配置との相関関係である第２相関関係と、に基づいて、前記１以上の第１エリア（ＡＡ１，・・・）のそれぞれに対して、前記アンビエント環境提供部を制御することにより環境提供制御を行うアンビエント制御部（６２ｂ，・・・，１６２ｂ，・・・，２６２ｂ，・・・，３６２ｂ，・・・）と、
を備えた、
アンビエント環境提供装置。
【請求項１３】
１つの第２エリア（ＴＡａ，・・・）に環境を提供するタスク環境提供装置であって、
前記１つの第２エリア（ＴＡａ，・・・）に環境を提供するタスク環境提供部（２８ａ，・・・）と、
前記１つの第２エリア（ＴＡａ，・・・）を含む複数の第１エリア（ＡＡ１，・・・）に環境を提供するアンビエント環境提供装置群の空間的な配置と前記タスク環境提供部の空間的な配置との相関関係である第１相関関係と、前記タスク環境提供部の運転状態と空間的な配置との相関関係である第２相関関係と、に基づいて、前記１つの第２エリア（ＴＡａ，・・・）に対して、前記タスク環境提供部を制御することにより環境提供制御を行うタスク制御部（６２ｃ，・・・，１６３ｃ，・・・，２６２ｃ，・・・，３６２ｃ，・・・）と、
を備えた、
タスク環境提供装置。
【請求項１４】
複数の第１エリア（ＡＡ１，・・・）に環境を提供するアンビエント環境提供装置群と、前記複数の第１エリア（ＡＡ１，・・・）に含まれる複数の第２エリア（ＴＡａ，・・・）に環境を提供するタスク環境提供装置群と、が制御されるエリア別環境提供制御方法であって、
前記アンビエント環境提供装置群の空間的な配置と前記タスク環境提供装置群の空間的な配置との相関関係である第１相関関係と、前記タスク環境提供装置群の運転状態と空間的な配置との相関関係である第２相関関係と、が記憶される相関関係記憶ステップと、
前記第１相関関係と前記第２相関関係とに基づいて、それぞれの前記第１エリア（ＡＡ１，・・・）に対して、前記アンビエント環境提供装置群が制御されることにより環境提供制御が行われる制御ステップと、
を備えた、
エリア別環境提供制御方法。
【請求項１５】
複数の第１エリア（ＡＡ１，・・・）に環境を提供するアンビエント環境提供装置群と、前記複数の第１エリア（ＡＡ１，・・・）に含まれる複数の第２エリア（ＴＡａ，・・・）に環境を提供するタスク環境提供装置群と、をコンピュータに制御させるエリア別環境提供制御プログラムであって、
前記アンビエント環境提供装置群の空間的な配置と前記タスク環境提供装置群の空間的な配置との相関関係である第１相関関係と、前記タスク環境提供装置群の運転状態と空間的な配置との相関関係である第２相関関係と、が記憶される相関関係記憶ステップと、
前記第１相関関係と前記第２相関関係とに基づいて、それぞれの前記第１エリア（ＡＡ１，・・・）に対して、前記アンビエント環境提供装置群が制御されることにより環境提供制御が行われる制御ステップと、
を備えた、
エリア別環境提供制御プログラム。
【発明の詳細な説明】
【技術分野】
【０００１】
本発明は、エリア別環境提供制御システム、アンビエント環境提供装置、タスク環境提供装置、エリア別環境提供制御方法及びエリア別環境提供制御プログラムに関する。
【背景技術】
【０００２】
従来から、複数の第２エリアに環境を提供するタスク環境提供装置群の運転状態に基づいて、室内全域に環境を提供するアンビエント環境提供装置の運転条件を制御するシステムが提案されている（例えば、特許文献１、２参照。）。
【特許文献１】特開平３−１６４６４１（第１−４頁、第１−５図）
【特許文献１】特開平６−１８５７８３（第１−４頁、第１−５図）
【発明の開示】
【発明が解決しようとする課題】
【０００３】
しかし、従来のシステムでは、タスク環境提供装置群の空間的な配置を考慮せずに、タスク環境提供装置群の運転状態に基づいて、アンビエント環境提供装置の運転条件を制御するので、アンビエント環境提供装置が無駄に運転されることがある。その結果、タスク環境提供装置群とアンビエント環境提供装置との全体として省エネルギー化を図るのが困難なことがある。
【０００４】
そこで、本発明の課題は、全体として省エネルギー化を図ることができるエリア別環境提供制御システム、アンビエント環境提供装置、タスク環境提供装置、エリア別環境提供制御方法及びエリア別環境提供制御プログラムを提供することにある。
【課題を解決するための手段】
【０００５】
請求項１に係るエリア別環境提供制御システムは、アンビエント環境提供装置群とタスク環境提供装置群とを制御するエリア別環境提供制御システムであって、相関関係記憶部と制御部とを備える。アンビエント環境提供装置群は、複数の第１エリアに環境を提供する。タスク環境提供装置群は、複数の第２エリアに環境を提供する。複数の第２エリアは、複数の第１エリアに含まれる。相関関係記憶部は、第１相関関係と第２相関関係とを記憶する。第１相関関係は、アンビエント環境提供装置群の空間的な配置とタスク環境提供装置群の空間的な配置との相関関係である。第２相関関係は、タスク環境提供装置群の運転状態と空間的な配置との相関関係である。制御部は、第１相関関係と第２相関関係とに基づいて、それぞれの第１エリアに対して、アンビエント環境提供装置群を制御することにより環境提供制御を行う。
【０００６】
このエリア別環境提供制御システムでは、相関関係記憶部が、第１相関関係と第２相関関係とを記憶する。制御部が、第１相関関係と第２相関関係とに基づいた情報、あるいは第１相関関係と第２相関関係とを、受け取ることができる。制御部が、第１相関関係と第２相関関係とに基づいて、それぞれの第１エリアに対して、アンビエント環境提供装置群を制御することにより環境提供制御を行う。
【０００７】
したがって、第１相関関係と第２相関関係とに基づいてアンビエント環境提供装置群を制御するので、アンビエント環境提供装置群の無駄な運転を低減することができる。このため、全体として省エネルギー化を図ることができる。
なお、空間的な配置は、１次元的な配置でもよいし、２次元的な配置でもよいし、３次元的な配置でもよい。
【０００８】
請求項２に係るエリア別環境提供制御システムは、請求項１に記載のエリア別環境提供制御システムであって、運転状態取得部と空間配置取得部とをさらに備える。運転状態取得部は、少なくともタスク環境提供装置群の運転状態を取得する。空間配置取得部は、アンビエント環境提供装置群の空間的な配置と、タスク環境提供装置群の空間的な配置と、を取得する。
【０００９】
このエリア別環境提供制御システムでは、運転状態取得部が、少なくともタスク環境提供装置群の運転状態を取得する。空間配置取得部が、アンビエント環境提供装置群の空間的な配置と、タスク環境提供装置群の空間的な配置と、を取得する。相関関係記憶部が、タスク環境提供装置群の運転状態の情報を受け取ることができる。相関関係記憶部が、アンビエント環境提供装置群の空間的な配置の情報と、タスク環境提供装置群の空間的な配置の情報と、を受け取ることができる。相関関係記憶部が、第１相関関係と第２相関関係とを記憶する。制御部が、第１相関関係と第２相関関係とに基づいた情報、あるいは第１相関関係と第２相関関係とを、受け取ることができる。制御部が、第１相関関係と第２相関関係とに基づいて、それぞれの第１エリアに対して、アンビエント環境提供装置群を制御することにより環境提供制御を行う。
【００１０】
したがって、第１相関関係と第２相関関係とに基づいてアンビエント環境提供装置群を制御するので、アンビエント環境提供装置群の無駄な運転を低減することができる。このため、全体として省エネルギー化を図ることができる。
なお、運転状態や空間的な配置を取得する方法は、検知する方法でもよいし、入力を受け付ける方法でもよい。
【００１１】
請求項３に係るエリア別環境提供制御システムは、請求項１又は２のいずれかに記載のエリア別環境提供制御システムであって、制御部は、第１相関関係と第２相関関係とに基づいて、それぞれの第１エリア及びそれぞれの第２エリアに対して、アンビエント環境提供装置群及びタスク環境提供装置群を制御することにより環境提供制御を行う。
このエリア別環境提供制御システムでは、相関関係記憶部が、第１相関関係と第２相関関係とを記憶する。制御部が、第１相関関係と第２相関関係とに基づいた情報、あるいは第１相関関係と第２相関関係とを、受け取ることができる。制御部が、第１相関関係と第２相関関係とに基づいて、それぞれの第１エリア及びそれぞれの第２エリアに対して、アンビエント環境提供装置群及びタスク環境提供装置群を制御することにより環境提供制御を行う。
【００１２】
したがって、アンビエント環境提供装置群及びタスク環境提供装置群の両方を制御するので、アンビエント環境提供装置群及びタスク環境提供装置群の両方について無駄な運転を低減することができる。
請求項４に係るエリア別環境提供制御システムは、請求項１から３のいずれかに記載のエリア別環境提供制御システムであって、アンビエント環境提供装置群は、アンビエント空調装置群である。アンビエント空調装置群は、複数の第１エリアに空調環境を提供する。タスク環境提供装置群は、タスク空調装置群である。タスク空調装置群は、複数の第２エリアに空調環境を提供する。
【００１３】
このエリア別環境提供制御システムでは、アンビエント環境提供装置群が、アンビエント空調装置群である。タスク環境提供装置群が、タスク空調装置群である。第１相関関係が、アンビエント空調装置群の空間的な配置とタスク空調装置群の空間的な配置との相関関係である。第２相関関係が、タスク空調装置群の運転状態と空間的な配置との相関関係である。制御部が、第１相関関係と第２相関関係とに基づいて、それぞれの第１エリアに対して、アンビエント空調装置群を制御することにより環境提供制御を行う。
【００１４】
したがって、第１相関関係と第２相関関係とに基づいてアンビエント空調装置群を制御するので、アンビエント空調装置群の無駄な運転を低減することができる。このため、全体として省エネルギー化を図ることができる。
請求項５に係るエリア別環境提供制御システムは、請求項４に記載のエリア別環境提供制御システムであって、タスク空調装置群の運転状態は、タスク空調装置群のそれぞれのＯＮ／ＯＦＦ状態、タスク空調装置群のそれぞれから供給される空調空気の温度、タスク空調装置群のそれぞれから供給される空調空気の湿度、タスク空調装置群のそれぞれから供給される空調空気の風向、タスク空調装置群のそれぞれから供給される空調空気の風量及びタスク空調装置群のそれぞれから供給される空調空気の清浄度のうち少なくとも１つを含む。
【００１５】
このエリア別環境提供制御システムでは、アンビエント環境提供装置群が、アンビエント空調装置群である。タスク環境提供装置群が、タスク空調装置群である。第１相関関係が、アンビエント空調装置群の空間的な配置とタスク空調装置群の空間的な配置との相関関係である。第２相関関係は、タスク空調装置群の運転状態と空間的な配置との相関関係である。タスク空調装置群の運転状態が、タスク空調装置群のそれぞれのＯＮ／ＯＦＦ状態、タスク空調装置群のそれぞれから供給される空調空気の温度、タスク空調装置群のそれぞれから供給される空調空気の湿度、タスク空調装置群のそれぞれから供給される空調空気の風向、タスク空調装置群のそれぞれから供給される空調空気の風量及びタスク空調装置群のそれぞれから供給される空調空気の清浄度のうち少なくとも１つを含む。制御部が、第１相関関係と第２相関関係とに基づいて、それぞれの第１エリアに対して、アンビエント環境提供装置群を制御することにより環境提供制御を行う。
【００１６】
したがって、第１相関関係と第２相関関係とに基づいてアンビエント空調装置群を詳細に制御することができる。
なお、温度、湿度、風向、風量及び清浄度は、それぞれ、実際に提供される温度、湿度、風向、風量及び清浄度でもよいし、設定された温度、湿度、風向、風量及び清浄度でもよい。
【００１７】
請求項６に係るエリア別環境提供制御システムは、請求項３から５のいずれかに記載のエリア別環境提供制御システムであって、アンビエント環境提供装置群のそれぞれの成績係数は、タスク環境提供装置群のそれぞれの成績係数よりも大きい。
このエリア別環境提供制御システムでは、アンビエント環境提供装置群のそれぞれの成績係数が、タスク環境提供装置群のそれぞれの成績係数よりも大きい。制御部が、第１相関関係と第２相関関係とに基づいて、それぞれの第１エリアに対して、アンビエント環境提供装置群を制御することにより環境提供制御を行う。
【００１８】
したがって、アンビエント環境提供装置群のそれぞれの成績係数がタスク環境提供装置群のそれぞれの成績係数よりも大きいので、タスク環境提供装置群の第１エリアにおける運転率が所定の値以上の場合に第１エリアに対してアンビエント環境提供装置群をタスク環境提供装置群に優先させて運転させることにより、アンビエント環境提供装置群及びタスク環境提供装置群の無駄な運転を低減することができる。
【００１９】
なお、成績係数は、アンビエント環境提供装置群のそれぞれ又はタスク環境提供装置群のそれぞれが環境を提供する能力を、アンビエント環境提供装置群のそれぞれ又はタスク環境提供装置群のそれぞれが消費するエネルギー量で割ったものである。
請求項７に係るエリア別環境提供制御システムは、請求項６に記載のエリア別環境提供制御システムであって、タスク環境提供装置群の運転状態は、少なくともタスク環境提供装置群のそれぞれのＯＮ／ＯＦＦ状態を含む。制御部は、第１エリアにおいてＯＮされているタスク環境提供装置群の割合が所定の値以上の場合に、第１エリアにおけるタスク環境提供装置群の運転を抑え、第１エリアにおけるアンビエント環境提供装置群の運転を強める。
【００２０】
このエリア別環境提供制御システムでは、アンビエント環境提供装置群のそれぞれの成績係数が、タスク環境提供装置群のそれぞれの成績係数よりも大きい。制御部が、第１相関関係と第２相関関係とに基づいた情報、あるいは第１相関関係と第２相関関係とを、受け取ることができる。第２相関関係が、タスク環境提供装置群の運転状態と空間的な配置との相関関係である。タスク環境提供装置群の運転状態が、少なくともタスク環境提供装置群のそれぞれのＯＮ／ＯＦＦ状態を含む。制御部が、第１エリアにおいてＯＮされているタスク環境提供装置群の割合が所定の値以上の場合に、第１エリアにおけるタスク環境提供装置群の運転を抑え、第１エリアにおけるアンビエント環境提供装置群の運転を強める。
【００２１】
したがって、第１エリアにおいてＯＮされているタスク環境提供装置群の割合が所定の値以上の場合に第１エリアにおける成績係数が大きい装置を優先的に運転させるため、アンビエント環境提供装置群及びタスク環境提供装置群の無駄な運転を低減することができる。
請求項８に係るエリア別環境提供制御システムは、請求項１から７のいずれかに記載のエリア別環境提供制御システムであって、タスク環境提供装置群の運転状態は、少なくともタスク環境提供装置群のそれぞれのＯＮ／ＯＦＦ状態を含む。制御部は、第１エリアにおいてＯＮされているタスク環境提供装置群の割合が所定の値以下の場合に、第１エリアにおけるアンビエント環境提供装置群の運転を抑える。
【００２２】
このエリア別環境提供制御システムでは、制御部が、第１相関関係と第２相関関係とに基づいた情報、あるいは第１相関関係と第２相関関係とを、受け取ることができる。第２相関関係が、タスク環境提供装置群の運転状態と空間的な配置との相関関係である。タスク環境提供装置群の運転状態が、少なくともタスク環境提供装置群のそれぞれのＯＮ／ＯＦＦ状態を含む。制御部が、第１エリアにおいてＯＮされているタスク環境提供装置群の割合が所定の値以下の場合に、第１エリアにおけるアンビエント環境提供装置群の運転を抑える。
【００２３】
したがって、第１エリアにおいてＯＮされているタスク環境提供装置群の割合が所定の値以下の場合に第１エリアにおけるアンビエント環境提供装置群の運転を抑えるので、アンビエント環境提供装置群の無駄な運転を低減することができる。
請求項９に係るエリア別環境提供制御システムは、請求項４から８のいずれかに記載のエリア別環境提供制御システムであって、制御部は、第１相関関係と第２相関関係とに基づいて、複数の第１エリアのそれぞれに対して、アンビエント空調装置群のそれぞれから供給される空調空気の風向及びアンビエント空調装置群のそれぞれから供給される空調空気の風量の少なくとも１つを変えることにより環境提供制御を行う。
【００２４】
このエリア別環境提供制御システムでは、アンビエント環境提供装置群が、アンビエント空調装置群である。タスク環境提供装置群が、タスク空調装置群である。第１相関関係が、アンビエント空調装置群の空間的な配置とタスク空調装置群の空間的な配置との相関関係である。第２相関関係は、タスク空調装置群の運転状態と空間的な配置との相関関係である。制御部が、第１相関関係と第２相関関係とに基づいて、複数の第１エリアのそれぞれに対して、アンビエント空調装置群のそれぞれから供給される空調空気の風向及びアンビエント空調装置群のそれぞれから供給される空調空気の風量の少なくとも１つを変えることにより環境提供制御を行う。
【００２５】
したがって、少なくとも第２相関関係に基づいてアンビエント空調装置群を制御することにより対象空間の気流を制御するので、アンビエント空調装置群の無駄な運転を低減することができる。
請求項１０に係るエリア別環境提供制御システムは、請求項１から９のいずれかに記載のエリア別環境提供制御システムであって、相関関係記憶部は、第３相関関係をさらに記憶する。第３相関関係は、アンビエント環境提供装置群の運転状態と空間的な配置との相関関係である。制御部は、第１相関関係と第２相関関係と第３相関関係とに基づいて、それぞれの第１エリアに対して、アンビエント環境提供装置群を制御することにより環境提供制御を行う。
【００２６】
このエリア別環境提供制御システムでは、相関関係記憶部が、第１相関関係と第２相関関係とを記憶する。相関関係記憶部が、第３相関関係をさらに記憶する。制御部が、第１相関関係と第２相関関係と第３相関関係とに基づいた情報、あるいは第１相関関係と第２相関関係と第３相関関係とを、受け取ることができる。制御部は、第１相関関係と第２相関関係と第３相関関係とに基づいて、それぞれの第１エリアに対して、アンビエント環境提供装置群を制御することにより環境提供制御を行う。
【００２７】
したがって、第１相関関係と第２相関関係と第３相関関係とに基づいてアンビエント環境提供装置群を制御するので、アンビエント空調装置群の無駄な運転をさらに低減することができる。
請求項１１に係るエリア別環境提供制御システムは、アンビエント環境提供装置群とタスク環境提供装置群とを制御するエリア別環境提供制御システムであって、相関関係記憶部と制御部とを備える。アンビエント環境提供装置群は、複数の第１エリアに環境を提供する。タスク環境提供装置群は、複数の第２エリアに環境を提供する。複数の第２エリアは、複数の第１エリアに含まれる。相関関係記憶部は、第１相関関係と第３相関関係とを記憶する。第１相関関係は、アンビエント環境提供装置群の空間的な配置とタスク環境提供装置群の空間的な配置との相関関係である。第３相関関係は、アンビエント環境提供装置群の運転状態と空間的な配置との相関関係である。制御部は、第１相関関係と第３相関関係とに基づいて、それぞれの第２エリアに対して、タスク環境提供装置群を制御することにより環境提供制御を行う。
【００２８】
このエリア別環境提供制御システムでは、相関関係記憶部が、第１相関関係と第３相関関係とを記憶する。制御部が、第１相関関係と第３相関関係とに基づいた情報、あるいは第１相関関係と第３相関関係とを、受け取ることができる。制御部が、第１相関関係と第３相関関係とに基づいて、それぞれの第２エリアに対して、タスク環境提供装置群を制御することにより環境提供制御を行う。
【００２９】
したがって、第１相関関係と第３相関関係とに基づいてタスク環境提供装置群を制御するので、タスク環境提供装置群の無駄な運転を低減することができる。このため、全体として省エネルギー化を図ることができる。
なお、空間的な配置は、１次元的な配置でもよいし、２次元的な配置でもよいし、３次元的な配置でもよい。
【００３０】
請求項１２に係るアンビエント環境提供装置は、１以上の第１エリアに環境を提供するアンビエント環境提供装置であって、アンビエント環境提供部とアンビエント制御部とを備える。アンビエント環境提供部は、１以上の第１エリアに環境を提供する。アンビエント制御部は、第１相関関係と第２相関関係とに基づいて、１以上の第１エリアのそれぞれに対して、アンビエント環境提供部を制御することにより環境提供制御を行う。第１相関関係は、タスク環境提供装置群の空間的な配置とアンビエント環境提供部の空間的な配置との相関関係である。タスク環境提供装置群は、複数の第２エリアに環境を提供する。複数の第２エリアは、１以上の第１エリアに少なくとも一部が含まれる。第２相関関係は、タスク環境提供装置群の運転状態と空間的な配置との相関関係である。
【００３１】
このアンビエント環境提供装置では、アンビエント制御部が、第１相関関係と第２相関関係とに基づいた情報、あるいは第１相関関係と第２相関関係とを、受け取ることができる。アンビエント制御部は、第１相関関係と第２相関関係とに基づいて、１以上の第１エリアのそれぞれに対して、アンビエント環境提供部を制御することにより環境提供制御を行う。アンビエント環境提供部が、１以上の第１エリアに環境を提供する。
【００３２】
したがって、第１相関関係と第２相関関係とに基づいてアンビエント環境提供装置を制御するので、アンビエント環境提供装置の無駄な運転を低減することができる。このため、全体として省エネルギー化を図ることができる。
なお、空間的な配置は、１次元的な配置でもよいし、２次元的な配置でもよいし、３次元的な配置でもよい。
【００３３】
請求項１３に係るタスク環境提供装置は、１つの第２エリアに環境を提供するタスク環境提供装置であって、タスク環境提供部と、タスク制御部とを備える。タスク環境提供部は、１つの第２エリアに環境を提供する。タスク制御部は、第１相関関係と第２相関関係とに基づいて、１つの第２エリアに対して、タスク環境提供部を制御することにより環境提供制御を行う。第１相関関係は、アンビエント環境提供装置群の空間的な配置とタスク環境提供部の空間的な配置との相関関係である。アンビエント環境提供装置群は、複数の第１エリアに環境を提供する。複数の第１エリアは、１つの第２エリアを含む。第２相関関係は、タスク環境提供部の運転状態と空間的な配置との相関関係である。
【００３４】
このタスク環境提供装置では、タスク制御部が、第１相関関係と第２相関関係とに基づいた情報、あるいは第１相関関係と第２相関関係とを、受け取ることができる。タスク制御部が、第１相関関係と第２相関関係とに基づいて、１つの第２エリアに対して、タスク環境提供部を制御することにより環境提供制御を行う。タスク環境提供部が、１つの第２エリアに環境を提供する。
【００３５】
したがって、第１相関関係と第２相関関係とに基づいてタスク環境提供装置を制御するので、タスク環境提供装置の無駄な運転を低減することができる。このため、全体として省エネルギー化を図ることができる。
なお、空間的な配置は、１次元的な配置でもよいし、２次元的な配置でもよいし、３次元的な配置でもよい。
【００３６】
請求項１４に係るエリア別環境提供制御方法は、アンビエント環境提供装置群とタスク環境提供装置群とが制御されるエリア別環境提供制御方法であって、相関関係記憶ステップと制御ステップとを備える。アンビエント環境提供装置群は、複数の第１エリアに環境を提供する。タスク環境提供装置群は、複数の第２エリアに環境を提供する。複数の第２エリアは、複数の第１エリアに含まれる。相関関係記憶ステップでは、第１相関関係と第２相関関係とが記憶される。第１相関関係は、アンビエント環境提供装置群の空間的な配置とタスク環境提供装置群の空間的な配置との相関関係である。第２相関関係は、タスク環境提供装置群の運転状態と空間的な配置との相関関係である。制御ステップでは、第１相関関係と第２相関関係とに基づいて、それぞれの第１エリアに対して、アンビエント環境提供装置群が制御されることにより環境提供制御が行われる。
【００３７】
このエリア別環境提供制御方法では、相関関係記憶ステップにおいて、第１相関関係と第２相関関係とが記憶される。制御ステップにおいて、第１相関関係と第２相関関係とに基づいた情報、あるいは第１相関関係と第２相関関係とが、受け取られ得る。制御ステップにおいて、第１相関関係と第２相関関係とに基づいて、それぞれの第１エリアに対して、アンビエント環境提供装置群が制御されることにより環境提供制御が行われる。
【００３８】
したがって、第１相関関係と第２相関関係とに基づいてアンビエント環境提供装置群を制御するので、アンビエント環境提供装置群の無駄な運転を低減することができる。このため、全体として省エネルギー化を図ることができる。
なお、空間的な配置は、１次元的な配置でもよいし、２次元的な配置でもよいし、３次元的な配置でもよい。
【００３９】
請求項１５に係るエリア別環境提供制御プログラムは、アンビエント環境提供装置群とタスク環境提供装置群とをコンピュータに制御させるエリア別環境提供制御プログラムであって、相関関係記憶ステップと制御ステップとを備える。アンビエント環境提供装置群は、複数の第１エリアに環境を提供する。タスク環境提供装置群は、複数の第２エリアに環境を提供する。複数の第２エリアは、複数の第１エリアに含まれる。相関関係記憶ステップでは、第１相関関係と第２相関関係とが記憶される。第１相関関係は、アンビエント環境提供装置群の空間的な配置とタスク環境提供装置群の空間的な配置との相関関係である。第２相関関係は、タスク環境提供装置群の運転状態と空間的な配置との相関関係である。制御ステップでは、第１相関関係と第２相関関係とに基づいて、それぞれの第１エリアに対して、アンビエント環境提供装置群が制御されることにより環境提供制御が行われる。
【００４０】
このエリア別環境提供制御プログラムでは、相関関係記憶ステップにおいて、第１相関関係と第２相関関係とが記憶される。制御ステップにおいて、第１相関関係と第２相関関係とに基づいた情報、あるいは第１相関関係と第２相関関係とが、受け取られ得る。制御ステップにおいて、第１相関関係と第２相関関係とに基づいて、それぞれの第１エリアに対して、アンビエント環境提供装置群が制御されることにより環境提供制御が行われる。
【００４１】
したがって、第１相関関係と第２相関関係とに基づいてアンビエント環境提供装置群を制御するので、アンビエント環境提供装置群の無駄な運転を低減することができる。このため、全体として省エネルギー化を図ることができる。
なお、空間的な配置は、１次元的な配置でもよいし、２次元的な配置でもよいし、３次元的な配置でもよい。
【発明の効果】
【００４２】
請求項１に係るエリア別環境提供制御システムでは、第１相関関係と第２相関関係とに基づいてアンビエント環境提供装置群を制御するので、アンビエント環境提供装置群の無駄な運転を低減することができる。このため、全体として省エネルギー化を図ることができる。
請求項２に係るエリア別環境提供制御システムでは、第１相関関係と第２相関関係とに基づいてアンビエント環境提供装置群を制御するので、アンビエント環境提供装置群の無駄な運転を低減することができる。このため、全体として省エネルギー化を図ることができる。
【００４３】
請求項３に係るエリア別環境提供制御システムでは、アンビエント環境提供装置群及びタスク環境提供装置群の両方を制御するので、アンビエント環境提供装置群及びタスク環境提供装置群の両方について無駄な運転を低減することができる。
請求項４に係るエリア別環境提供制御システムでは、第１相関関係と第２相関関係とに基づいてアンビエント空調装置群を制御するので、アンビエント空調装置群の無駄な運転を低減することができる。このため、全体として省エネルギー化を図ることができる。
【００４４】
請求項５に係るエリア別環境提供制御システムでは、第１相関関係と第２相関関係とに基づいてアンビエント空調装置群を詳細に制御することができる。
請求項６に係るエリア別環境提供制御システムでは、アンビエント環境提供装置群のそれぞれの成績係数がタスク環境提供装置群のそれぞれの成績係数よりも大きいので、タスク環境提供装置群の第１エリアにおける運転率が所定の値以上の場合に第１エリアに対してアンビエント環境提供装置群をタスク環境提供装置群に優先させて運転させることにより、アンビエント環境提供装置群及びタスク環境提供装置群の無駄な運転を低減することができる。
【００４５】
請求項７に係るエリア別環境提供制御システムでは、第１エリアにおいてＯＮされているタスク環境提供装置群の割合が所定の値以上の場合に第１エリアにおける成績係数が大きい装置を優先的に運転させるため、アンビエント環境提供装置群及びタスク環境提供装置群の無駄な運転を低減することができる。
請求項８に係るエリア別環境提供制御システムでは、第１エリアにおいてＯＮされているタスク環境提供装置群の割合が所定の値以下の場合に第１エリアにおけるアンビエント環境提供装置群の運転を抑えるので、アンビエント環境提供装置群の無駄な運転を低減することができる。
【００４６】
請求項９に係るエリア別環境提供制御システムでは、第１相関関係と第２相関関係とに基づいてアンビエント空調装置群を制御することにより対象空間の気流を制御するので、アンビエント空調装置群の無駄な運転を低減することができる。
請求項１０に係るエリア別環境提供制御システムでは、第１相関関係と第２相関関係と第３相関関係とに基づいてアンビエント環境提供装置群を制御するので、アンビエント空調装置群の無駄な運転をさらに低減することができる。
【００４７】
請求項１１に係るエリア別環境提供制御システムでは、第１相関関係と第３相関関係とに基づいてタスク環境提供装置群を制御するので、タスク環境提供装置群の無駄な運転を低減することができる。このため、全体として省エネルギー化を図ることができる。
請求項１２に係るアンビエント環境提供装置では、第１相関関係と第２相関関係とに基づいてアンビエント環境提供装置を制御するので、アンビエント環境提供装置の無駄な運転を低減することができる。このため、全体として省エネルギー化を図ることができる。
【００４８】
請求項１３に係るタスク環境提供装置では、第１相関関係と第２相関関係とに基づいてタスク環境提供装置を制御するので、タスク環境提供装置の無駄な運転を低減することができる。このため、全体として省エネルギー化を図ることができる。
請求項１４に係るエリア別環境提供制御方法では、第１相関関係と第２相関関係とに基づいてアンビエント環境提供装置群を制御するので、アンビエント環境提供装置群の無駄な運転を低減することができる。このため、全体として省エネルギー化を図ることができる。
【００４９】
請求項１５に係るエリア別環境提供制御プログラムでは、第１相関関係と第２相関関係とに基づいてアンビエント環境提供装置群を制御するので、アンビエント環境提供装置群の無駄な運転を低減することができる。このため、全体として省エネルギー化を図ることができる。
【発明を実施するための最良の形態】
【００５０】
［第１実施形態］
本発明の第１実施形態に係るエリア別空調制御システム１の概念図を図１に示す。また、本発明の第１実施形態に係るエリア別空調制御システム１の各構成要素の構成図を図２〜図６に示す。図１に示すエリア別空調制御システム１は、主としてアンビエント空調装置群（Ａ１，・・・）（図５参照）とタスク空調装置群（Ｔ１，・・・）（図６参照）とを制御するためのシステムである。アンビエント空調装置群（Ａ１，・・・）（図５参照）は、アンビエント域に又はアンビエント域付近に設置されており、複数の第１エリアＡＡ１，ＡＡ２，・・・（図１２参照）に空調環境を提供する。タスク空調装置群（Ｔ１，・・・）（図６参照）は、タスク域に設置されており、複数の第２エリアＴＡａ，ＴＡｂ，・・・（図１２参照）に空調環境を提供する。ここで、タスク域は、個人群５（５ａ，５ｂ，・・・）の作業領域である。アンビエント域は、部屋全体ＲＭのうちタスク域以外の領域である。エリア別空調制御システム１では、第１エリアＡＡ１，ＡＡ２，・・・（図１２参照）別に異なる空調環境を提供することが可能となっており、第２エリアＴＡａ，ＴＡｂ，・・・（図１２参照）別に異なる空調環境を提供することが可能となっている。
【００５１】
＜エリア別空調制御システム１の全体構成＞
図１に示すエリア別空調制御システム１は、主としてアンビエント空調装置群（Ａ１，・・・）（図５参照）、タスク空調装置群（Ｔ１，・・・）（図６参照）、空調管理装置１０及び通信線８０を備える。空調管理装置１０とタスク空調装置群（Ｔ１，・・・）（図６参照）とは、通信線８０により接続されている。空調管理装置１０とアンビエント空調装置群（Ａ１，・・・）（図５参照）とは、通信線８０により接続されている。
【００５２】
＜空調管理装置１０の構成＞
図１に示す空調管理装置１０は、図４に示すように、主として入力部１４、第２送受信部１２、制御部１３及びデータベース１６を備える。
図４に示す入力部１４には、アンビエント空調装置群（Ａ１，・・・）（図５参照）の室内機群７０（７１，・・・）（図１参照）の空間的な配置の情報が入力される。制御部１３は、室内機群７０（７１，・・・）（図１参照）の空間的な配置の情報を、入力部１４から受け取り、データベース１６に受光器位置情報１６ｃとして記憶させる。第２送受信部１２は、タスク空調装置群（Ｔ１，・・・）（図６参照）の室内機群２０（２０ａ，・・・）（図１参照）のＯＮ／ＯＦＦ状態の情報を、通信線８０を経由してタスク空調装置群（Ｔ１，・・・）（図６参照）から受信する。制御部１３は、室内機群２０（２０ａ，・・・）（図１参照）のＯＮ／ＯＦＦ状態の情報を、第２送受信部１２から受け取り、データベース１６に運転状態情報１６ｂとして記憶させる。第２送受信部１２は、タスク空調装置群（Ｔ１，・・・）（図６参照）の室内機群２０（２０ａ，・・・）（図１参照）の空間的な配置の情報を、通信線８０を経由してアンビエント空調装置群（Ａ１，・・・）（図５参照）から受信する。制御部１３は、室内機群２０（２０ａ，・・・）（図１参照）の空間的な配置の情報を、第２送受信部１２から受け取り、データベース１６に発光器位置情報１６ｄとして記憶させる。制御部１３は、データベース１６を参照して第１相関関係を特定し、データベース１６の相関関係記憶部１６ａに第１相関関係を記憶させる。ここで、第１相関関係は、受光器位置情報１６ｃにおける室内機群７０（７１，・・・）（図１参照）の空間的な配置の情報と、発光器位置情報１６ｄにおける室内機群２０（２０ａ，・・・）（図１参照）の空間的な配置の情報と、の相関関係である。例えば、図１２に示す場合、室内機７１の空間的な配置（第１エリアＡＡ１）と、室内機２０ａ，２０ｃ，２０ｄ，２０ｅ，２０ｆ，２０ｇ（図示せず）の空間的な配置（第２エリアＴＡａ，ＴＡｃ，ＴＡｄ，ＴＡｅ，ＴＡｆ，ＴＡｇ）と、が第１相関関係により対応付けられる。同様に、図４に示す制御部１３は、データベース１６を参照して第２相関関係を特定し、データベース１６の相関関係記憶部１６ａに第２相関関係を記憶させる。ここで、第２相関関係は、運転状態情報１６ｂにおける室内機群２０（２０ａ，・・・）（図１参照）のＯＮ／ＯＦＦ状態と、発光器位置情報１６ｄにおける室内機群２０（２０ａ，・・・）（図１参照）の空間的な配置の情報と、の相関関係である。例えば、図１２に示す場合、室内機２０ａ，２０ｃ，２０ｄ，２０ｅ，２０ｆ，２０ｇ（図示せず）のＯＮ／ＯＦＦ状態（ＯＮ，ＯＦＦ，ＯＮ，ＯＦＦ，ＯＮ，ＯＦＦ）と、室内機２０ａ，２０ｃ，２０ｄ，２０ｅ，２０ｆ，２０ｇ（図示せず）の空間的な配置（第２エリアＴＡａ，ＴＡｃ，ＴＡｄ，ＴＡｅ，ＴＡｆ，ＴＡｇ）と、が第２相関関係により対応付けられる。
【００５３】
図４に示す制御部１３が、データベース１６の相関関係記憶部１６ａを参照し、第１相関関係と第２相関関係とを受け取る。制御部１３が、第１相関関係と第２相関関係とに基づいて、それぞれの第１エリアＡＡ１，ＡＡ２，・・・（図１２参照）及びそれぞれの第２エリアＴＡａ，ＴＡｂ，・・・（図１２参照）に対して、アンビエント空調装置群（Ａ１，・・・）（図５参照）及びタスク空調装置群（Ｔ１，・・・）（図６参照）を制御するための制御信号を生成する。第２送受信部１２は、アンビエント空調装置群（Ａ１，・・・）（図５参照）の制御信号及びタスク空調装置群（Ｔ１，・・・）（図６参照）の制御信号を制御部１３から受け取り、通信線８０経由でアンビエント空調装置群（Ａ１，・・・）（図５参照）及びタスク空調装置群（Ｔ１，・・・）（図６参照）ヘ送信する。
【００５４】
＜アンビエント空調装置群（Ａ１，・・・）の構成＞
図１に示すように、アンビエント空調装置群（Ａ１，・・・）（図５参照）は、主として、室外機群６０（６１，６２，・・・）と室内機群７０（７１，７２，・・・）とを備える。アンビエント空調装置群（Ａ１，・・・）（図５参照）は、空調管理装置１０と通信線８０で接続されている。
【００５５】
本実施形態においてオフィスビルに設置されているアンビエント空調装置群（Ａ１，・・・）（図５参照）は、複数のマルチ型の空気調和機であって、それぞれが空調管理装置１０によって監視・制御される。それぞれの空気調和機では、１つの室外機と複数の室内機とが１つの冷媒系統を形成している。
図１に示す室外機６２と室内機７１とは、図５に示すように、アンビエント空調装置Ａ１に備えられている。室外機６２と室内機７１とは、通信線８０で接続されている。室外機６２は、主として送受信部６２ａとアンビエント制御部６２ｂとを備える。室内機７１は、主として送受信部７１ｆ、運転状態取得部７１ｇ、空間配置取得部７１ｈ及びアンビエント環境提供部７１ｅを備える。空間配置取得部７１ｈは、受光器５１に接続されている。
【００５６】
空間配置取得部７１ｈは、タスク空調装置群（Ｔ１，・・・）（図６参照）の室内機群２０（２０ａ，・・・）（図１参照）の空間的な配置の情報を、受光器５１から受け取り、送受信部７１ｆへ渡す。送受信部７１ｆは、タスク空調装置群（Ｔ１，・・・）（図６参照）の室内機群２０（２０ａ，・・・）（図１参照）の空間的な配置の情報を、通信線８０経由で室外機６２へ送信する。室外機６２の送受信部６２ａは、タスク空調装置群（Ｔ１，・・・）（図６参照）の室内機群２０（２０ａ，・・・）（図１参照）の空間的な配置の情報を、通信線８０経由で室内機７１から受信し、通信線８０経由で空調管理装置１０へ転送する。
【００５７】
室外機６２の送受信部６２ａは、アンビエント空調装置Ａ１の制御信号を通信線８０経由で空調管理装置１０から受信し、アンビエント制御部６２ｂへ渡す。アンビエント制御部６２ｂは、アンビエント空調装置Ａ１の制御信号に基づいて、第１エリアＡＡ１に対して、室内機７１を制御するための制御信号を生成する。また、アンビエント制御部６２ｂは、アンビエント空調装置Ａ１の制御信号に基づいて、室外機６２を制御する。送受信部６２ａは、室内機７１の制御信号をアンビエント制御部６２ｂから受け取り、通信線８０経由で室内機７１へ送信する。室内機７１の送受信部７１ｆは、室内機７１の制御信号を、通信線８０経由で室外機６２から受信し、アンビエント環境提供部７１ｅへ渡す。アンビエント環境提供部７１ｅは、第１エリアＡＡ１に空調環境を提供する。
【００５８】
他のアンビエント空調装置Ａ２，・・・（図示せず）も、アンビエント空調装置Ａ１と同様である。
＜タスク空調装置群（Ｔ１，・・・）の構成＞
図１に示すように、タスク空調装置群（Ａ１，・・・）（図６参照）は、主として、室外機群６０（６１，６２，・・・）と室内機群２０（２０ａ，２０ｂ，・・・）とを備える。タスク空調装置群（Ｔ１，・・・）（図６参照）は、空調管理装置１０と通信線８０で接続されている。
【００５９】
図１に示す室外機６２と室内機２０ａとは、図６に示すように、タスク空調装置Ｔ１に備えられている。室外機６２と室内機２０ａとは、通信線８０で接続されている。室外機６２は、主として送受信部６２ａとタスク制御部６２ｃとを備える。室内機２０ａは、主として送受信部２１ａ、運転状態取得部２２ａ及びタスク環境提供部２８ａを備える。
室内機２０ａの運転状態取得部２２ａには、室内機２０ａのＯＮ／ＯＦＦ命令が入力される。運転状態取得部２２ａは、室内機２０ａのＯＮ／ＯＦＦ命令の情報を、室内機２０ａのＯＮ／ＯＦＦ状態の情報として送受信部２１ａへ渡す。送受信部２１ａは、室内機２０ａのＯＮ／ＯＦＦ状態の情報を、通信線８０経由で室外機６２へ送信する。室外機６２の送受信部６２ａは、室内機２０ａのＯＮ／ＯＦＦ状態の情報を、通信線８０経由で室内機２０ａから受信し、通信線８０経由で空調管理装置１０へ転送する。
【００６０】
室外機６２の送受信部６２ａは、タスク空調装置Ｔ１の制御信号を通信線８０経由で空調管理装置１０から受信し、タスク制御部６２ｃへ渡す。タスク制御部６２ｃは、タスク空調装置Ｔ１の制御信号に基づいて、第２エリアＴＡａに対して、室内機２０ａを制御するための制御信号を生成する。また、タスク制御部６２ｃは、タスク空調装置Ｔ１の制御信号に基づいて、室外機６２を制御する。送受信部６２ａは、室内機２０ａの制御信号をタスク制御部６２ｃから受け取り、通信線８０経由で室内機２０ａへ送信する。室内機２０ａの送受信部２１ａは、室内機２０ａの制御信号を、通信線８０経由で室外機６２から受信し、タスク環境提供部２８ａへ渡す。タスク環境提供部２８ａは、第２エリアＴＡａに空調環境を提供する。
【００６１】
他のタスク空調装置Ｔ２，・・・（図示せず）も、タスク空調装置Ｔ１と同様である。
＜室内機群７０（７１，７２，・・・）の構成＞
図１に示す室内機７１は、天井埋設型である。室内機７１は、図２に示すように、天井に埋設されるケーシング７１２ｅと、ケーシング７１２ｅの下面に固定される化粧パネルとを備えている。
【００６２】
ケーシング７１２ｅは、その内部に各構成部品を格納するための部材であり、略矩形形状の外形を有している。化粧パネルには、下面中央に設けられた吸い込み口７１１ｅと、その外周側に設けられた４つの吹き出し口７１ａ，７１ｂ，７１ｃ，７１ｄ（図９参照）とが形成されている。また、ケーシング７１２ｅ内には、遠心送風機７１３ｅ、熱交換器７１４ｅなどが収容されている。さらに、各吹き出し口７１ａ，７１ｂ，７１ｃ，７１ｄ（図９参照）には、吹き出し空気の方向を変えるための垂直フラップ７１７ｅおよび水平フラップ（図示せず）が配置されている。
【００６３】
遠心送風機７１３ｅを回転させると、吸い込み口７１１ｅから室内の空気が吸い込まれる。吸い込まれた空気は、遠心送風機７１３ｅの外周側に吹き出される。遠心送風機７１３ｅの外周側に吹き出された空気は、その外周側に配置された熱交換器７１４ｅによって熱交換され、４つの吹き出し口７１ａ，７１ｂ，７１ｃ，７１ｄ（図９参照）から第１エリアＡＡ１に吹き出される。
【００６４】
他の室内機７２，・・・も、室内機７１と同様である。
＜室内機群２０（２０ａ，２０ｂ，・・・）の構成＞
図１に示す室内機２０ａはデスク型である。室内機２０ａのタスク環境提供部２８ａは、図３に示すように、主として熱交換器２８３ａ、クロスフローファン２８４ａ、吹き出し口２８６ａ及び吸い込み口２８８ａを備える。このうち、熱交換器２８３ａ及びクロスフローファン２８４ａは、室内機２０ａの背面にある箱体２８７ａの中に内蔵される。吹き出し口２８６ａは、室内機２０ａの前面パネルに設けられる。吸い込み口２８８ａは、室内機２０ａの背面パネルに設けられる。吸い込み口２８８ａ及び熱交換器２８３ａを利用して生成された調和空気は、クロスフローファン２８４ａによって吹き出し口２８６ａを介して、第２エリアＴＡａに供給される。
【００６５】
他の室内機２０ｂ，・・・も、室内機２０ａと同様である。
＜部屋ＲＭの中に配置される受光器及び発光器について＞
部屋ＲＭの中に配置されている受光器及び発光器について説明する。ここでは、オフィスビル内の１つの部屋ＲＭを例に挙げて、その部屋ＲＭの中に配置されている受光器及び発光器について説明する。
【００６６】
図１０に示すように、部屋ＲＭは、１つのオフィスを構成しており、複数の個人５ａ〜５ｒが使用するスペースであるエリアと、それ以外の共通のスペースであるエリアとに分かれている。共通のスペースの角には、発熱の多いＯＡ機器が集中して置かれている。図８に示すように、部屋ＲＭは、便宜上２５等分されたブロック（区画）Ｂ１〜Ｂ２５に分けられている。ここでは、ブロックＢ４が個人５ａ，５ｃの使用するエリアに、ブロックＢ５が個人５ｃ，５ｄの使用するエリアに、ブロックＢ９が個人５ｅ，５ｆの使用するエリアに、ブロックＢ１０が個人５ｆ，５ｇの使用するエリアに、ブロックＢ１９が個人５ｂ，５ｈの使用するエリアに、ブロックＢ２０が個人５ｈ，５ｉの使用するエリアに、ブロックＢ２４が個人５ｊ，５ｋの使用するエリアに、ブロックＢ２５が個人５ｋ，５ｌの使用するエリアに、ブロックＢ３が個人５ｍ，５ｎの使用するエリアに、ブロックＢ８が個人５ｎ，５ｏの使用するエリアに、ブロックＢ１８が個人５ｐ，５ｑの使用するエリアに、ブロックＢ２３が個人５ｑ，５ｒの使用するエリアに、そして、ブロックＢ２１がＯＡ機器の置かれるエリアになっている。
【００６７】
このような部屋ＲＭの天井には、５台の室内機７１〜７５が、図９に示す平面配置で取り付けられている。室内機７１は、ブロックＢ４，Ｂ５，Ｂ９，Ｂ１０（図８参照）にまたがるように平面配置されている。室内機７２は、ブロックＢ１９，Ｂ２０，Ｂ２４，Ｂ２５（図８参照）にまたがるように平面配置されている。室内機７３は、ブロックＢ１，Ｂ２，Ｂ６，Ｂ７（図８参照）にまたがるように平面配置されている。室内機７４は、ブロックＢ１６，Ｂ１７，Ｂ２１，Ｂ２２（図８参照）にまたがるように平面配置されている。室内機７５は、ブロックＢ１３（図８参照）の真上に配置されている。
【００６８】
また、５台の室内機７１〜７５は、それぞれ、図１および図９に示すように、その下面中央から吊り下がる受光器５１〜５５を有している。これらの受光器５１〜５５は、下記の発光器３０ａ〜３０ｓからの光を受けることができるように、発光器３０ａ〜３０ｓよりも高い位置に配置されている。
発光器３０ａ〜３０ｓは、タスク空調装置群（Ｔ１，・・・）（図６参照）の室内機群２０（２０ａ，・・・）の空間的な配置を特定するための機器であり、個人５ａ〜５ｒの机の最上部などに設置され、各受光器５１〜５５に対して発光する。例えば、図１１の１点鎖線で示すように、発光器３０ａは各受光器５１〜５５に対して斜め上方に向けて発光を行うことになる。また、発光器３０ａ〜３０ｓは、持ち運び可能な機器であり、部屋ＲＭ内のレイアウト変更を行う際には、新しいレイアウトにおけるタスク空調装置群（Ｔ１，・・・）（図６参照）の空間的な配置を特定できる場所に移動させられる。
【００６９】
＜タスク空調装置群（Ｔ１，・・・）の空間的な配置が特定される際の動作＞
エリア別空調制御システム１では、タスク空調装置群（Ｔ１，・・・）（図６参照）の空間的な配置が特定される。
図４に示す入力部１４には、アンビエント空調装置群（Ａ１，・・・）（図５参照）の室内機群７０（７１，・・・）（図１参照）の空間的な配置の情報が入力される。制御部１３は、室内機群７０（７１，・・・）（図１参照）の空間的な配置の情報を、入力部１４から受け取り、データベース１６に受光器位置情報１６ｃとして記憶させる。このように、受光器５１〜５５の設置位置の情報を受光器位置情報ファイル１６ｃに記憶しているため、タスク空調装置群（Ｔ１，・・・）（図６参照）の空間的な配置を再度特定するときにも、その度に受光器５１〜５５の設置位置を入力させたり検出したりする必要がなくなる。
【００７０】
次に、制御部１３は、複数の受光器５１〜５５による受光情報から、発光器３０ａ〜３０ｓそれぞれの位置を検出する。この位置検出は、３角法を利用して行われる。ここで検出された発光器３０ａ〜３０ｓの位置情報は、発光器位置情報ファイル１６ｄに記憶される。
＜エリア別空調制御システム１がアンビエント空調装置群（Ａ１，・・・）とタスク空調装置群（Ｔ１，・・・）とを制御する際の動作＞
図１に示すエリア別空調制御システム１がアンビエント空調装置群（Ａ１，・・・）（図５参照）とタスク空調装置群（Ｔ１，・・・）（図６参照）とを制御する際の動作を、図１２から図１７に示す概念図を用いて説明する。
【００７１】
図１２に示す概念図では、便宜上ブロックＢ４，Ｂ５，Ｂ９，Ｂ１０，Ｂ１９，Ｂ２０，Ｂ２４，Ｂ２５（図８参照）で部屋ＲＭが構成されているとする。また、個人５ａ，５ｂ，５ｃ，・・・（図１０参照）の作業領域である第２エリアＴＡａ，ＴＡｂ，ＴＡｃ，・・・は２次元的に配置されているが、便宜上１次元的に配置されているとする。他の図１３〜１７についても同様である。
【００７２】
図１２に示すように、アンビエント空調装置Ａ１の室内機７１は、第１エリアＡＡ１に空調環境を提供する。アンビエント空調装置Ａ２の室内機７２は、第１エリアＡＡ２に空調環境を提供する。タスク空調装置Ｔ１の室内機２０ａ（図１参照）は、第２エリアＴＡａに空調環境を提供する。タスク空調装置Ｔ２の室内機２０ｂ（図示せず）は、第２エリアＴＡｂに空調環境を提供する。タスク空調装置Ｔ３の室内機２０ｃ（図示せず）は、第２エリアＴＡｃに空調環境を提供する。タスク空調装置Ｔ４の室内機２０ｄ（図示せず）は、第２エリアＴＡｄに空調環境を提供する。タスク空調装置Ｔ５の室内機２０ｅ（図示せず）は、第２エリアＴＡｅに空調環境を提供する。タスク空調装置Ｔ６の室内機２０ｆ（図示せず）は、第２エリアＴＡｆに空調環境を提供する。タスク空調装置Ｔ７の室内機２０ｇ（図示せず）は、第２エリアＴＡｇに空調環境を提供する。タスク空調装置Ｔ８の室内機２０ｈ（図示せず）は、第２エリアＴＡｈに空調環境を提供する。タスク空調装置Ｔ９の室内機２０ｉ（図示せず）は、第２エリアＴＡｉに空調環境を提供する。タスク空調装置Ｔ１０の室内機２０ｊ（図示せず）は、第２エリアＴＡｊに空調環境を提供する。タスク空調装置Ｔ１１の室内機２０ｋ（図示せず）は、第２エリアＴＡｋに空調環境を提供する。タスク空調装置Ｔ１２の室内機２０ｌ（図示せず）は、第２エリアＴＡｌに空調環境を提供する。
【００７３】
第１エリアＡＡ１は、ブロックＢ４，Ｂ５，Ｂ９，Ｂ１０（図８参照）に対応するエリアであり、個人５ａ，５ｃ，５ｄ，５ｅ，５ｆ，５ｇ（図１０参照）がそれぞれ使用する室内機２０ａ，２０ｃ，２０ｄ，２０ｅ，２０ｆ，２０ｇ（図示せず）が設置されている。第１エリアＡＡ１は、第２エリアＴＡａ，ＴＡｃ，ＴＡｄ，ＴＡｅ，ＴＡｆ，ＴＡｇを含む。第１エリアＡＡ２は、ブロックＢ１９，Ｂ２０，Ｂ２４，Ｂ２５（図８参照）に対応するエリアであり、個人５ｂ，５ｈ，５ｉ，５ｊ，５ｋ，５ｌ（図１０参照）がそれぞれ使用する室内機２０ｂ，２０ｈ，２０ｉ，２０ｊ，２０ｋ，２０ｌ（図示せず）が設置されている。第１エリアＡＡ２は、第２エリアＴＡｂ，ＴＡｈ，ＴＡｉ，ＴＡｊ，ＴＡｋ，ＴＡｌを含む。
【００７４】
図１２では、タスク空調装置群（Ｔ１，・・・）（図６参照）のＯＮされている第２エリアが斜線で示されている。第１エリアＡＡ１において、タスク空調装置群（Ｔ１，・・・）（図６参照）がＯＮされているのは第２エリアＴＡａ，ＴＡｄ，ＴＡｆであり、タスク空調装置群（Ｔ１，・・・）（図６参照）がＯＦＦされているのは第２エリアＴＡｃ，ＴＡｅ，ＴＡｇである。これより、第１エリアＡＡ１におけるタスク空調装置群（Ｔ１，・・・）（図６参照）の運転率は、
３／６×１００＝５０％
である。運転率が２０％超越８０％未満であるので、アンビエント空調装置Ａ１とタスク空調装置群（Ｔ１，・・・）（図６参照）とは標準モードで制御される。例えば、タスク空調装置群（Ｔ１，・・・）（図６参照）のうち第１エリアＡＡ１に配備されている装置の５０％が、設定温度２５℃でＯＮ状態であるので、設定温度２５℃でＯＮ状態のままとされる。また、アンビエント空調装置Ａ１の室内機７１が、ＯＮ状態で設定温度２８℃であるが、ＯＮ状態で設定温度２８℃のままとされる。他の第１エリアＡＡ２も、タスク空調装置群（Ｔ１，・・・）（図６参照）の運転率が５０％（＞２０％、＜８０％）であるので、同様に標準モードで制御される。
【００７５】
図１３では、第１エリアＡＡ１におけるタスク空調装置群（Ｔ１，・・・）（図６参照）の運転率が５０％（＞２０％、＜８０％）である。このため、標準モードで制御される。第１エリアＡＡ２におけるタスク空調装置群（Ｔ１，・・・）（図６参照）の運転率が０％（≦２０％）である。このため、タスク優先モードで制御される。例えば、タスク空調装置群（Ｔ１，・・・）（図６参照）のうち第１エリアＡＡ２に配備されている装置はいずれもＯＦＦ状態であるので、ＯＦＦ状態のままとされる。また、アンビエント空調装置Ａ２の室内機７２の設定温度が２８℃から３０℃へ上げられる。
【００７６】
図１４では、第１エリアＡＡ１におけるタスク空調装置群（Ｔ１，・・・）（図６参照）の運転率が１００％（≧８０％）である。このため、アンビエント優先モードで制御される。例えば、アンビエント空調装置Ａ１の室内機７１の設定温度が２８℃から２７℃へ下げられる。タスク空調装置群（Ｔ１，・・・）（図６参照）のうち第１エリアＡＡ２に配備されている装置はいずれも設定温度２５℃でＯＮ状態であるので、設定温度が２５℃から２７℃へ上げられる。第１エリアＡＡ２におけるタスク空調装置群（Ｔ１，・・・）（図６参照）の運転率が１００％（≧８０％）である。このため、アンビエント優先モードで制御される。ここで、タスク空調装置群（Ｔ１，・・・）（図６参照）の運転率が高い（≧８０％）場合にアンビエント優先モードで運転されるのは、アンビエント空調装置Ａ１，・・・の成績係数の方がタスク空調装置Ｔ１，・・・の成績係数よりも大きいので、タスク空調装置群（Ｔ１，・・・）（図６参照）の運転率が高い（≧８０％）場合にはアンビエント空調装置Ａ１，・・・を優先して運転させた方が効率いいからである。なお、成績係数は、装置が空調環境を提供する能力を、装置が消費するエネルギー量で割ったものであり、この値が大きいほどエネルギー効率がよく、省エネルギー化に貢献できると一般に言われている。
【００７７】
図１５では、第１エリアＡＡ１におけるタスク空調装置群（Ｔ１，・・・）（図６参照）の運転率が１００％（≧８０％）である。このため、アンビエント優先モードで制御される。第１エリアＡＡ２におけるタスク空調装置群（Ｔ１，・・・）（図６参照）の運転率が０％である。このため、タスク優先モードで制御される。
図１６では、第１エリアＡＡ１におけるタスク空調装置群（Ｔ１，・・・）（図６参照）の運転率は、
１／６×１００≒１７％
である。運転率が２０％以下であるため、タスク優先モードで制御される。例えば、タスク空調装置Ｔ４のみがＯＮ状態で設定温度２５℃であるので、ＯＮ状態で設定温度２５℃のままとされる。他のタスク空調装置Ｔ１，・・・はＯＦＦ状態のままとされる。また、アンビエント空調装置Ａ１の室内機７１の設定温度が２８℃から２９℃へ上げられる。第１エリアＡＡ２におけるタスク空調装置群（Ｔ１，・・・）（図６参照）の運転率が１７％（≦２０％）である。このため、同様にタスク優先モードで制御される。
【００７８】
図１７では、第１エリアＡＡ１におけるタスク空調装置群（Ｔ１，・・・）（図６参照）の運転率が１７％（≦２０％）である。このため、図１６の第１エリアＡＡ１と同様にタスク優先モードで制御される。第１エリアＡＡ２におけるタスク空調装置群（Ｔ１，・・・）（図６参照）の運転率が０％（≦２０％）である。このため、図１３の第１エリアＡＡ２と同様にタスク優先モードで制御される。
【００７９】
＜エリア別空調制御システム１がアンビエント空調装置群（Ａ１，・・・）とタスク空調装置群（Ｔ１，・・・）とを制御する処理の流れ＞
図１に示すエリア別空調制御システム１がアンビエント空調装置群（Ａ１，・・・）（図５参照）とタスク空調装置群（Ｔ１，・・・）（図６参照）とを制御する処理の流れを、図７に示すフローチャートを用いて説明する。なお、アンビエント空調装置群（Ａ１，・・・）（図５参照）とタスク空調装置群（Ｔ１，・・・）（図６参照）とが冷房運転を行う場合について説明する。アンビエント空調装置群（Ａ１，・・・）（図５参照）とタスク空調装置群（Ｔ１，・・・）（図６参照）とが暖房運転を行う場合についても同様である。
【００８０】
図７に示すステップＳ１では、第１相関関係が取得される。すなわち、図５に示す空間配置取得部７１ｈにより、タスク空調装置群（Ｔ１，・・・）（図６参照）の室内機群２０（２０ａ，・・・）（図１参照）の空間的な配置の情報が、受光器５１，・・・から受け取られ、送受信部７１ｆへ渡される。送受信部７１ｆにより、タスク空調装置群（Ｔ１，・・・）（図６参照）の室内機群２０（２０ａ，・・・）（図１参照）の空間的な配置の情報が、通信線８０経由で室外機６２へ送信される。室外機６２の送受信部６２ａにより、タスク空調装置群（Ｔ１，・・・）（図６参照）の室内機群２０（２０ａ，・・・）（図１参照）の空間的な配置の情報が、通信線８０経由で室内機７１から受信され、通信線８０経由で空調管理装置１０へ転送される。他のアンビエント空調装置Ａ２，・・・（図示せず）も、アンビエント空調装置Ａ１と同様である。
【００８１】
図４に示す空調管理装置１０の入力部１４に、アンビエント空調装置群（Ａ１，・・・）（図５参照）の室内機群７０（７１，・・・）（図１参照）の空間的な配置の情報が入力される。制御部１３により、室内機群７０（７１，・・・）（図１参照）の空間的な配置の情報が、入力部１４から受け取られ、データベース１６に受光器位置情報１６ｃとして記憶される。第２送受信部１２により、タスク空調装置群（Ｔ１，・・・）（図６参照）の室内機群２０（２０ａ，・・・）（図１参照）の空間的な配置の情報が、通信線８０を経由してアンビエント空調装置群（Ａ１，・・・）（図５参照）から受信される。制御部１３により、室内機群２０（２０ａ，・・・）（図１参照）の空間的な配置の情報が、第２送受信部１２から受け取られ、データベース１６に発光器位置情報１６ｄとして記憶される。制御部１３により、データベース１６が参照されて第１相関関係が特定され、データベース１６の相関関係記憶部１６ａに第１相関関係が記憶される。ここで、第１相関関係は、受光器位置情報１６ｃにおける室内機群７０（７１，・・・）（図１参照）の空間的な配置の情報と、発光器位置情報１６ｄにおける室内機群２０（２０ａ，・・・）（図１参照）の空間的な配置の情報と、の相関関係である。例えば、図１２に示す場合、室内機７１の空間的な配置（第１エリアＡＡ１）と、室内機２０ａ，２０ｃ，２０ｄ，２０ｅ，２０ｆ，２０ｇ（図示せず）の空間的な配置（第２エリアＴＡａ，ＴＡｃ，ＴＡｄ，ＴＡｅ，ＴＡｆ，ＴＡｇ）と、が第１相関関係により対応付けられる。図４に示す空調管理装置１０の制御部１３により、データベース１６の相関関係記憶部１６ａが参照され、第１相関関係が受け取られる。
【００８２】
図７に示すステップＳ２では、第２相関関係が取得される。すなわち、図６に示すタスク空調装置Ｔ１の室内機２０ａの運転状態取得部２２ａに、室内機２０ａのＯＮ／ＯＦＦ命令が入力される。運転状態取得部２２ａにより、室内機２０ａのＯＮ／ＯＦＦ命令の情報が、室内機２０ａのＯＮ／ＯＦＦ状態の情報として送受信部２１ａへ渡される。送受信部２１ａにより、室内機２０ａのＯＮ／ＯＦＦ状態の情報が、通信線８０経由で室外機６２へ送信される。室外機６２の送受信部６２ａにより、室内機２０ａのＯＮ／ＯＦＦ状態の情報が、通信線８０経由で室内機２０ａから受信され、通信線８０経由で空調管理装置１０へ転送される。他のタスク空調装置Ｔ２，・・・（図示せず）も、タスク空調装置Ｔ１と同様である。
【００８３】
図４に示す第２送受信部１２により、タスク空調装置群（Ｔ１，・・・）（図６参照）の室内機群２０（２０ａ，・・・）（図１参照）のＯＮ／ＯＦＦ状態の情報が、通信線８０を経由してタスク空調装置群（Ｔ１，・・・）（図６参照）から受信される。制御部１３により、室内機群２０（２０ａ，・・・）（図１参照）のＯＮ／ＯＦＦ状態の情報が、第２送受信部１２から受け取られ、データベース１６に運転状態情報１６ｂとして記憶される。制御部１３により、データベース１６が参照されて第２相関関係が特定され、データベース１６の相関関係記憶部１６ａに第２相関関係が記憶される。ここで、第２相関関係は、運転状態情報１６ｂにおける室内機群２０（２０ａ，・・・）（図１参照）のＯＮ／ＯＦＦ状態と、発光器位置情報１６ｄにおける室内機群２０（２０ａ，・・・）（図１参照）の空間的な配置の情報と、の相関関係である。例えば、図１２に示す場合、室内機２０ａ，２０ｃ，２０ｄ，２０ｅ，２０ｆ，２０ｇ（図示せず）のＯＮ／ＯＦＦ状態（ＯＮ，ＯＦＦ，ＯＮ，ＯＦＦ，ＯＮ，ＯＦＦ）と、室内機２０ａ，２０ｃ，２０ｄ，２０ｅ，２０ｆ，２０ｇ（図示せず）の空間的な配置（第２エリアＴＡａ，ＴＡｃ，ＴＡｄ，ＴＡｅ，ＴＡｆ，ＴＡｇ）と、が第２相関関係により対応付けられる。図４に示す空調管理装置１０の制御部１３により、データベース１６の相関関係記憶部１６ａが参照され、第２相関関係が受け取られる。
【００８４】
図７に示すステップＳ３では、第１エリアが選択される。すなわち、制御部１３により、複数の第１エリアＡＡ１，ＡＡ２，・・・のうちからタスク空調装置群（Ｔ１，・・・）（図６参照）の運転率を計算する対象となる第１エリアＡＡ１，ＡＡ２，・・・が選択され、タスク空調装置群（Ｔ１，・・・）（図６参照）の運転率が計算される。ただし、それまでに選択された第１エリアＡＡ１，ＡＡ２，・・・がある場合、それ以外の第１エリアＡＡ１，ＡＡ２，・・・が選択される。例えば、図１２の場合、第１エリアＡＡ１が選択される。第１エリアＡＡ１において、タスク空調装置群（Ｔ１，・・・）（図６参照）がＯＮされているのは第２エリアＴＡａ，ＴＡｄ，ＴＡｆであり、タスク空調装置群（Ｔ１，・・・）（図６参照）がＯＦＦされているのは第２エリアＴＡｃ，ＴＡｅ，ＴＡｇである。これより、タスク空調装置群（Ｔ１，・・・）（図６参照）の運転率は、
３／６×１００＝５０％
と計算される。
【００８５】
図７に示すステップＳ４では、運転率がいずれの範囲であるのか判断される。運転率が２０％以下であると判断されれば、ステップＳ５へ進められる。運転率が２０％超越８０％未満であると判断されれば、ステップＳ６へ進められる。運転率が８０％以上であると判断されれば、ステップＳ７へ進められる。
図７に示すステップＳ５では、タスク優先モードで制御が行われる。すなわち、タスク空調装置群（Ｔ１，・・・）（図６参照）のＯＮ／ＯＦＦ状態が、第２相関関係における運転状態のままとされる。また、アンビエント空調装置Ａ１，・・・の運転が抑えられ、ＯＦＦ状態にされる又は設定温度が上げられる。例えば、図１３に示す第１エリアＡＡ２が選択されている場合、タスク空調装置群（Ｔ１，・・・）（図６参照）のうち第１エリアＡＡ２に配備されている装置はいずれもＯＦＦ状態であるので、ＯＦＦ状態のままとされる。また、アンビエント空調装置Ａ２の室内機７２の設定温度が２８℃から３０℃へ上げられる。
【００８６】
図７に示すステップＳ６では、標準モードで制御が行われる。すなわち、タスク空調装置群（Ｔ１，・・・）（図６参照）のＯＮ／ＯＦＦ状態が、第２相関関係における運転状態のままとされる。また、アンビエント空調装置Ａ１，・・・のＯＮ／ＯＦＦ状態が、現在の運転状態のままとされる。例えば、図１２に示す第１エリアＡＡ１が選択されている場合、タスク空調装置群（Ｔ１，・・・）（図６参照）のうち第１エリアＡＡ１に配備されている装置の５０％が、設定温度２５℃でＯＮ状態であるので、設定温度２５℃でＯＮ状態のままとされる。また、アンビエント空調装置Ａ１の室内機７１の設定温度が２８℃であるが、設定温度２８℃のままとされる。
【００８７】
図７に示すステップＳ７では、アンビエント優先モードで制御が行われる。すなわち、アンビエント空調装置Ａ１，・・・の運転が強められ、ＯＮ状態にされる又は設定温度が下げられる。また、タスク空調装置群（Ｔ１，・・・）（図６参照）の運転が抑えられ、ＯＦＦ状態にされる又は設定温度が上げられる。例えば、図１４に示す第１エリアＡＡ１が選択されている場合、アンビエント空調装置Ａ１の室内機７１の設定温度が２８℃から２７℃へ下げられる。タスク空調装置群（Ｔ１，・・・）（図６参照）のうち第１エリアＡＡ１に配備されている装置はいずれも設定温度２５℃でＯＮ状態であるので、設定温度が２５℃から２７℃へ上げられる。
【００８８】
図７に示すステップＳ８では、すべての第１エリアが選択されたか否かが判断される。すべての第１エリアが選択されたと判断された場合、処理が終了され、すべての第１エリアが選択されていないと判断された場合、ステップＳ３へ進められる。
＜エリア別空調制御システム１に関する特徴＞
（１）
ここでは、図６に示す運転状態取得部２２ａ，・・・が、タスク空調装置Ｔ１，・・・の運転状態を取得する。図４に示す入力部１４が、アンビエント空調装置群（Ａ１，・・・）（図５参照）の空間的な配置を取得する。図５に示す空間配置取得部７１ｈ，・・・が、タスク空調装置群（Ｔ１，・・・）（図６参照）の空間的な配置を取得する。図４に示すデータベース１６の運転状態情報１６ｂが、タスク空調装置群（Ｔ１，・・・）（図６参照）の運転状態の情報を、通信線８０と第２送受信部１２と制御部１３とを経由してタスク空調装置群（Ｔ１，・・・）（図６参照）から受け取る。受光器位置情報１６ｄが、アンビエント空調装置群（Ａ１，・・・）（図５参照）の空間的な配置の情報を、制御部１３を経由して入力部１４から受け取る。発光器位置情報１６ｃが、タスク空調装置群（Ｔ１，・・・）（図６参照）の空間的な配置の情報を、通信線８０と第２送受信部１２と制御部１３とを経由してアンビエント空調装置群（Ａ１，・・・）（図５参照）から受け取る。制御部１３が、データベース１６を参照して第１相関関係を特定し、データベース１６の相関関係記憶部１６ａに第１相関関係を記憶させる。制御部１３が、データベース１６を参照して第２相関関係を特定し、データベース１６の相関関係記憶部１６ａに第２相関関係を記憶させる。相関関係記憶部１６ａが、第１相関関係と第２相関関係とを記憶する。制御部１３が、第１相関関係と第２相関関係とを相関関係記憶部１６ａから受け取る。制御部１３が、第１相関関係と第２相関関係とに基づいて、それぞれの第１エリアＡＡ１，ＡＡ２，・・・及びそれぞれの第２エリアＴＡａ，ＴＡｃ，・・・に対して、アンビエント空調装置群（Ａ１，・・・）（図５参照）及びタスク空調装置群（Ｔ１，・・・）（図６参照）を制御することにより空調制御を行う。
【００８９】
したがって、第１相関関係と第２相関関係とに基づいてアンビエント空調装置群（Ａ１，・・・）（図５参照）及びタスク空調装置群（Ｔ１，・・・）（図６参照）を制御するので、アンビエント空調装置群（Ａ１，・・・）（図５参照）及びタスク空調装置群（Ｔ１，・・・）（図６参照）の無駄な運転が低減される。このため、全体として省エネルギー化が図られる。
【００９０】
（２）
ここでは、図４に示す相関関係記憶部１６ａが、第１相関関係と第２相関関係とを記憶する。制御部１３が、第１相関関係と第２相関関係とを相関関係記憶部１６ａから受け取る。制御部１３が、第１相関関係と第２相関関係とに基づいて、それぞれの第１エリアＡＡ１，ＡＡ２，・・・（図１２参照）及びそれぞれの第２エリアＴＡａ，ＴＡｂ，・・・（図１２参照）に対して、アンビエント空調装置群（Ａ１，・・・）（図５参照）及びタスク空調装置群（Ｔ１，・・・）（図６参照）を制御することにより空調制御を行う。
【００９１】
したがって、アンビエント空調装置群（Ａ１，・・・）（図５参照）及びタスク空調装置群（Ｔ１，・・・）（図６参照）の両方を制御するので、アンビエント空調装置群（Ａ１，・・・）（図５参照）及びタスク空調装置群（Ｔ１，・・・）（図６参照）の両方について無駄な運転が低減される。
（３）
ここでは、第１相関関係が、アンビエント空調装置群（Ａ１，・・・）の空間的な配置とタスク空調装置群（Ｔ１，・・・）の空間的な配置との相関関係である。第２相関関係が、タスク空調装置群（Ｔ１，・・・）の運転状態と空間的な配置との相関関係である。アンビエント空調装置群（Ａ１，・・・）及びタスク空調装置群の（Ｔ１，・・・）運転状態が、アンビエント空調装置群（Ａ１，・・・）及びタスク空調装置群（Ｔ１，・・・）のそれぞれのＯＮ／ＯＦＦ状態である。図４に示す制御部１３が、第１相関関係と第２相関関係とに基づいて、それぞれの第１エリアＡＡ１，ＡＡ２，・・・（図１３参照）及びそれぞれの第２エリアＴＡａ，ＴＡｂ，・・・（図１３参照）に対して、アンビエント空調装置群（Ａ１，・・・）及びタスク空調装置群（Ｔ１，・・・）を制御することにより空調制御を行う。
【００９２】
したがって、第１相関関係と第２相関関係とに基づいてアンビエント空調装置群（Ａ１，・・・）及びタスク空調装置群（Ｔ１，・・・）が詳細に制御される。
（４）
ここでは、アンビエント空調装置群（Ａ１，・・・）（図５参照）のそれぞれの成績係数は、タスク空調装置群（Ｔ１，・・・）（図６参照）のそれぞれの成績係数よりも大きい。図４に示す制御部１３が、第１相関関係と第２相関関係とに基づいて、それぞれの第１エリアＡＡ１，ＡＡ２，・・・（図１２参照）及びそれぞれの第２エリアＴＡａ，ＴＡｂ，・・・（図１２参照）に対して、アンビエント空調装置群（Ａ１，・・・）（図５参照）及びタスク空調装置群（Ｔ１，・・・）（図６参照）を制御することにより空調制御を行う。
【００９３】
したがって、アンビエント空調装置群（Ａ１，・・・）（図５参照）のそれぞれの成績係数がタスク空調装置群（Ｔ１，・・・）（図６参照）のそれぞれの成績係数よりも大きいので、タスク空調装置群（Ｔ１，・・・）（図６参照）の第１エリアＡＡ１，ＡＡ２，・・・（図１２参照）における運転率が所定の値（８０％）以上の場合に第１エリアＡＡ１，ＡＡ２，・・・（図１２参照）に対してアンビエント空調装置群（Ａ１，・・・）（図５参照）をタスク空調装置群（Ｔ１，・・・）（図６参照）に優先させて運転させることにより、アンビエント空調装置群（Ａ１，・・・）（図５参照）及びタスク空調装置群（Ｔ１，・・・）（図６参照）の無駄な運転が低減される。
【００９４】
（５）
ここでは、アンビエント空調装置群（Ａ１，・・・）（図５参照）のそれぞれの成績係数は、タスク空調装置群（Ｔ１，・・・）（図６参照）のそれぞれの成績係数よりも大きい。図４に示す制御部１３が、第１相関関係と第２相関関係とを受け取る。第２相関関係が、タスク空調装置群（Ｔ１，・・・）（図６参照）の運転状態と空間的な配置との相関関係である。タスク空調装置群（Ｔ１，・・・）（図６参照）の運転状態が、タスク空調装置群（Ｔ１，・・・）（図６参照）のそれぞれのＯＮ／ＯＦＦ状態を含む。制御部１３が、第１エリアＡＡ１，ＡＡ２，・・・（図１２参照）においてＯＮされているタスク空調装置群（Ｔ１，・・・）（図６参照）の割合が所定の値（８０％）以上の場合に、第１エリアＡＡ１，ＡＡ２，・・・（図１２参照）におけるタスク空調装置群（Ｔ１，・・・）（図６参照）の運転を抑え、第１エリアＡＡ１，ＡＡ２，・・・（図１２参照）におけるアンビエント空調装置群（Ａ１，・・・）（図５参照）の運転を強める。
【００９５】
したがって、第１エリアＡＡ１，ＡＡ２，・・・（図１２参照）においてＯＮされているタスク空調装置群（Ｔ１，・・・）（図６参照）の割合が所定の値（８０％）以上の場合に第１エリアＡＡ１，ＡＡ２，・・・（図１２参照）における成績係数が大きい装置を優先的に運転させるため、アンビエント空調装置群（Ａ１，・・・）（図５参照）及びタスク空調装置群（Ｔ１，・・・）（図６参照）の無駄な運転が低減される。
【００９６】
（６）
ここでは、図４に示す制御部１３が、第１相関関係と第２相関関係とを受け取る。第２相関関係が、タスク空調装置群（Ｔ１，・・・）（図６参照）の運転状態と空間的な配置との相関関係である。タスク空調装置群（Ｔ１，・・・）（図６参照）の運転状態が、タスク空調装置群（Ｔ１，・・・）（図６参照）のそれぞれのＯＮ／ＯＦＦ状態を含む。制御部１３が、第１エリアＡＡ１，ＡＡ２，・・・（図１２参照）においてＯＮされているタスク空調装置群（Ｔ１，・・・）（図６参照）の割合が所定の値（２０％）以下の場合に、第１エリアＡＡ１，ＡＡ２，・・・（図１２参照）におけるアンビエント空調装置群（Ａ１，・・・）（図５参照）の運転を抑える。
【００９７】
したがって、第１エリアＡＡ１，ＡＡ２，・・・（図１２参照）においてＯＮされているタスク空調装置群（Ｔ１，・・・）（図６参照）の割合が所定の値（２０％）以下の場合に第１エリアＡＡ１，ＡＡ２，・・・（図１２参照）におけるアンビエント空調装置群（Ａ１，・・・）（図５参照）の運転を抑えるので、アンビエント空調装置群（Ａ１，・・・）（図５参照）の無駄な運転が低減される。
【００９８】
＜第１実施形態の変形例＞
（Ａ）アンビエント空調装置群（Ａ１，・・・）（図５参照）やタスク空調装置群（Ｔ１，・・・）（図６参照）が提供する環境は、空調環境でなくてもよい。照明環境でもよいし、音響環境でもよいし、臭いの環境でもよいし、どのような環境でもよい。例えば、照明環境の場合、第１相関関係が、アンビエント照明装置群の空間的な配置とタスク照明装置群の空間的な配置との相関関係となる。第２相関関係が、タスク照明装置群の運転状態と空間的な配置との相関関係となる。
【００９９】
（Ｂ）図１２〜図１７では、１つの第１エリアＡＡ１，ＡＡ２，・・・に複数の第２エリアＴＡａ，・・・，ＴＡｂ，・・・が含まれる場合が示されているが、図１９に示す第２エリアＴＡｎのように、１つの第２エリアＴＡａ，・・・，ＴＡｂ，・・・が複数の第１エリアＡＡ１，ＡＡ２，・・・に一部ずつ含まれていてもよい。図１２〜図１７では、第１エリアＡＡ１，ＡＡ２，・・・の数が第２エリアＴＡａ，・・・，ＴＡｂ，・・・の数よりも少ない場合が示されているが、第１エリアＡＡ１，ＡＡ２，・・・の数が第２エリアＴＡａ，・・・，ＴＡｂ，・・・の数よりも多くてもよいし、同じでもよい。
【０１００】
（Ｃ）図４に示す制御部１３は、第１相関関係と第２相関関係とに基づいて、それぞれの第１エリアＡＡ１，・・・に対して、アンビエント空調装置群（Ａ１，・・・）（図５参照）を制御することにより空調制御を行ってもよい。この場合、図７に示すステップＳ７において、タスク空調装置群（Ｔ１，・・・）（図６参照）のＯＮ／ＯＦＦ状態が、設定温度も含めて第２相関関係における運転状態のままとされる。すなわち、タスク空調装置群（Ｔ１，・・・）（図６参照）は常に制御されなくてもよい。また、図７に示すステップＳ７において、アンビエント空調装置群（Ａ１，・・・）（図５参照）は、現在の運転状態のままとされてもよい。この場合でも、図７に示すステップＳ５において、アンビエント空調装置群（Ａ１，・・・）（図５参照）は制御されるので、アンビエント空調装置群（Ａ１，・・・）（図５参照）の無駄な運転が低減され、全体として省エネルギー化を図ることができる。
【０１０１】
（Ｄ）アンビエント空調装置群（Ａ１，・・・）（図５参照）の室内機群７０（７１，・・・）（図１参照）のそれぞれは、図５に示すように、運転状態取得部７１ｇ，・・・をさらに備えてもよい。この場合、図５に示す室内機７１の運転状態取得部７１ｇには、室内機７１のＯＮ／ＯＦＦ命令が入力される。運転状態取得部７１ｇは、室内機７１のＯＮ／ＯＦＦ命令の情報を、室内機７１のＯＮ／ＯＦＦ状態及び設定温度の情報として送受信部７１ｆへ渡す。送受信部７１ｆは、室内機７１のＯＮ／ＯＦＦ状態の情報を、通信線８０経由で室外機６２へさらに送信する。室外機６２の送受信部６２ａは、室内機７１のＯＮ／ＯＦＦ状態の情報を、通信線８０経由で室内機７１からさらに受信し、通信線８０経由で空調管理装置１０へ転送する。図４に示す第２送受信部１２は、アンビエント空調装置群（Ａ１，・・・）（図５参照）の室内機群７０（７１，・・・）（図１参照）のＯＮ／ＯＦＦ状態の情報を、通信線８０を経由してアンビエント空調装置群（Ａ１，・・・）（図５参照）からさらに受信する。制御部１３は、室内機群７０（７１，・・・）（図１参照）のＯＮ／ＯＦＦ状態の情報を、第２送受信部１２から受け取り、データベース１６に運転状態情報１６ｂとして記憶させる。制御部１３は、データベース１６を参照して第３相関関係を特定し、データベース１６の相関関係記憶部１６ａに第３相関関係をさらに記憶させる。ここで、第３相関関係は、運転状態情報１６ｂにおける室内機群７０（７１，・・・）（図１参照）のＯＮ／ＯＦＦ状態と、受光器位置情報１６ｃにおける室内機群７０（７１，・・・）（図１参照）の空間的な配置の情報と、の相関関係である。例えば、図１２に示す場合、室内機７１，７２のＯＮ／ＯＦＦ状態（ＯＮ，ＯＮ）と、室内機７１，７２の空間的な配置（第１エリアＡＡ１，ＡＡ２）と、が第３相関関係により対応付けられる。
【０１０２】
図４に示す制御部１３が、データベース１６の相関関係記憶部１６ａを参照し、第１相関関係と第２相関関係と第３相関関係とを受け取る。制御部１３が、第１相関関係と第２相関関係と第３相関関係とに基づいて、それぞれの第１エリアＡＡ１，ＡＡ２，・・・（図１２参照）及びそれぞれの第２エリアＴＡａ，ＴＡｂ，・・・（図１２参照）に対して、アンビエント空調装置群（Ａ１，・・・）（図５参照）及びタスク空調装置群（Ｔ１，・・・）（図６参照）を制御するための制御信号を生成する。これらの点で第１実施形態と異なる。
【０１０３】
したがって、第１相関関係と第２相関関係と第３相関関係とに基づいてアンビエント環境提供装置群（Ａ１，・・・）（図５参照）及びタスク空調装置群（Ｔ１，・・・）（図６参照）を制御するので、アンビエント環境提供装置群（Ａ１，・・・）（図５参照）及びタスク空調装置群（Ｔ１，・・・）（図６参照）の無駄な運転をさらに低減することができる。
【０１０４】
なお、上記変形例（Ｃ）と同様に、制御部１３が、第１相関関係と第２相関関係と第３相関関係とに基づいて、それぞれの第１エリアＡＡ１，ＡＡ２，・・・（図１２参照）に対して、アンビエント空調装置群（Ａ１，・・・）（図５参照）を制御することにより空調制御を行ってもよい。
（Ｅ）上記変形例（Ｄ）において、図４に示す制御部１３は、第１相関関係と第３相関関係とに基づいて、それぞれの第２エリアＴＡａ，・・・に対して、タスク空調装置群（Ｔ１，・・・）（図６参照）を制御することにより空調制御を行ってもよい。すなわち、タスク空調装置群（Ｔ１，・・・）（図６参照）の室内機群２０（２０ａ，・・・）（図１参照）のそれぞれは、図６に示すような運転状態取得部２２ａ，・・・を備えていなくてもよい。このとき、図４に示すデータベース１６の相関関係記憶部１６ａは、第１相関関係と第３相関関係とを記憶しているが、第２相関関係を記憶していなくてもよい。
【０１０５】
この場合、図１に示すエリア別空調制御システム１がアンビエント空調装置群（Ａ１，・・・）（図５参照）とタスク空調装置群（Ｔ１，・・・）（図６参照）とを制御する際の動作が、図１９に示すように、次の点で第１実施形態と異なる。
図１９に示す概念図では、便宜上ブロックＢ１，Ｂ２，Ｂ３，Ｂ６，Ｂ７，Ｂ８，Ｂ１１，Ｂ１２，Ｂ１３（図８参照）で部屋ＲＭが構成されているとする。また、個人５ｍ，５ｎ，５ｏ（図１０参照）の作業領域である第２エリアＴＡｍ，ＴＡｎ，ＴＡｏは２次元的に配置されているが、便宜上１次元的に配置されているとする。
【０１０６】
図１９に示すように、アンビエント空調装置Ａ３の室内機７３は、第１エリアＡＡ３に空調環境を提供する。アンビエント空調装置Ａ５の室内機７５は、第１エリアＡＡ５に空調環境を提供する。タスク空調装置Ｔ１３の室内機２０ｍ（図示せず）は、第２エリアＴＡｍに空調環境を提供する。タスク空調装置Ｔ１４の室内機２０ｎ（図示せず）は、第２エリアＴＡｎに空調環境を提供する。タスク空調装置Ｔ１５の室内機２０ｏ（図示せず）は、第２エリアＴＡｏに空調環境を提供する。
【０１０７】
第１エリアＡＡ３は、ブロックＢ１，Ｂ２，Ｂ３，Ｂ６，Ｂ７（図８参照）に対応するエリアであり、個人５ｍ，５ｎ（図１０参照）がそれぞれ使用する室内機２０ｍ，２０ｎ（図示せず）が設置されている。第１エリアＡＡ３は、第２エリアＴＡｍと第２エリアＴＡｎの一部とを含む。第１エリアＡＡ５は、ブロックＢ８，Ｂ１１，Ｂ１２，Ｂ１３（図８参照）に対応するエリアであり、個人５ｎ，５ｏ（図１０参照）がそれぞれ使用する室内機２０ｎ，２０ｏ（図示せず）が設置されている。第１エリアＡＡ５は、第２エリアＴＡｎの一部と第２エリアＴＡｏとを含む。
【０１０８】
図１９では、アンビエント空調装置群（Ａ３，Ａ５）のＯＮされている室内機が斜線で示されている。すなわち、室内機７３がＯＦＦ状態であり、室内機７５がＯＮ状態である。ここで、便宜的にＯＦＦ状態を「−１」で表し、ＯＮ状態を「＋１」で表すことにする。また、第２エリアＴＡｎから室内機７３，７５までの距離をともに１／Ｌであるとする。このとき、例えば、第２エリアＴＡｍから室内機７３，７５までの距離が、それぞれ１／（１．２Ｌ），１／（０．８Ｌ）となる。第２エリアＴＡｏから室内機７３，７５までの距離が、それぞれ１／（０．８Ｌ），１／（１．２Ｌ）となる。
【０１０９】
第２エリアＴＡｍに関して、アンビエント空調装置群（Ａ３，Ａ５）の運転状態とアンビエント空調装置群（Ａ３，Ａ５）の室内機から第２エリアＴＡｍまでの距離の逆数との積の合計（以下、Σ（運転状態×距離の逆数）とする。）は、
（−１）×１．２Ｌ＋（＋１）×０．８Ｌ＝−０．４Ｌ
である。Σ（運転状態×距離の逆数）が−０．３Ｌ以下であるので、タスク優先モードで運転される。例えば、タスク空調装置Ｔ１３の室内機２０ｍ（図示せず）が、要求された設定温度の通りに運転される。
【０１１０】
第２エリアＴＡｎに関して、Σ（運転状態×距離の逆数）は、
（−１）×Ｌ＋（＋１）×Ｌ＝０Ｌ
である。Σ（運転状態×距離の逆数）が−０．３Ｌ超越＋０．３Ｌ未満であるので、標準モードで運転される。例えば、タスク空調装置Ｔ１４の室内機２０ｎ（図示せず）が、設定温度の空調に要求される負荷（または能力）の８０％の負荷（または能力）で運転される。
【０１１１】
第２エリアＴＡｏに関して、Σ（運転状態×距離の逆数）は、
（−１）×０．８Ｌ＋（＋１）×１．２Ｌ＝＋０．４Ｌ
である。Σ（運転状態×距離の逆数）が＋０．３Ｌ以上であるので、アンビエント優先モードで運転される。例えば、タスク空調装置Ｔ１５の室内機２０ｏ（図示せず）が、設定温度の空調に要求される負荷（または能力）の６０％の負荷（または能力）で運転される。
【０１１２】
また、図１に示すエリア別空調制御システム１がアンビエント空調装置群（Ａ１，・・・）（図５参照）とタスク空調装置群（Ｔ１，・・・）（図６参照）とを制御する処理の流れが、図１８に示すように、次の点で第１実施形態と異なる。なお、第１実施形態と同様の処理は同じ番号で示してある。アンビエント空調装置群（Ａ１，・・・）（図５参照）とタスク空調装置群（Ｔ１，・・・）（図６参照）とが冷房運転を行う場合について説明する。アンビエント空調装置群（Ａ１，・・・）（図５参照）とタスク空調装置群（Ｔ１，・・・）（図６参照）とが暖房運転を行う場合についても同様である。
【０１１３】
図１８に示すステップＳ１２では、第３相関関係が取得される。すなわち、図５に示すアンビエント空調装置Ａ１の室内機７１の運転状態取得部７１ｇに、室内機７１のＯＮ／ＯＦＦ命令が入力される。運転状態取得部７１ｇにより、室内機７１のＯＮ／ＯＦＦ命令の情報が、室内機７１のＯＮ／ＯＦＦ状態の情報として送受信部７１ｆへ渡される。送受信部７１ｆにより、室内機７１のＯＮ／ＯＦＦ状態の情報が、通信線８０経由で室外機６２へ送信される。室外機６２の送受信部６２ａにより、室内機７１のＯＮ／ＯＦＦ状態の情報が、通信線８０経由で室内機７１から受信され、通信線８０経由で空調管理装置１０へ転送される。他のアンビエント空調装置Ａ２，・・・（図示せず）も、アンビエント空調装置Ａ１と同様である。
【０１１４】
図４に示す第２送受信部１２により、アンビエント空調装置群（Ａ１，・・・）（図５参照）の室内機群７０（７１，・・・）（図１参照）のＯＮ／ＯＦＦ状態の情報が、通信線８０を経由してアンビエント空調装置群（Ａ１，・・・）（図５参照）から受信される。制御部１３により、室内機群７０（７１，・・・）（図１参照）のＯＮ／ＯＦＦ状態の情報が、第２送受信部１２から受け取られ、データベース１６に運転状態情報１６ｂとして記憶される。制御部１３により、データベース１６が参照されて第３相関関係が特定され、データベース１６の相関関係記憶部１６ａに第３相関関係が記憶される。ここで、第３相関関係は、運転状態情報１６ｂにおける室内機群７０（７１，・・・）（図１参照）のＯＮ／ＯＦＦ状態と、発光器位置情報１６ｄにおける室内機群７０（７１，・・・）（図１参照）の空間的な配置の情報と、の相関関係である。例えば、図１９に示す場合、室内機７３，７５のＯＮ／ＯＦＦ状態（ＯＦＦ，ＯＮ）と、室内機７３，７５の空間的な配置（第１エリアＡＡ３，ＡＡ５）と、が第３相関関係により対応付けられる。図４に示す空調管理装置１０の制御部１３により、データベース１６の相関関係記憶部１６ａが参照され、第３相関関係が受け取られる。
【０１１５】
図７に示すステップＳ１３では、第２エリアが選択される。すなわち、制御部１３により、複数の第２エリアＴＡａ，ＴＡｂ，・・・のうちからΣ（運転状態×距離の逆数）を計算する対象となる第２エリアＴＡａ，ＴＡｂ，・・・が選択され、Σ（運転状態×距離の逆数）が計算される。ただし、それまでに選択された第２エリアＴＡａ，ＴＡｂ，・・・がある場合、それ以外の第２エリアＴＡａ，ＴＡｂ，・・・が選択される。例えば、図１９の場合、第２エリアＴＡｍが選択される。第２エリアＴＡｍにおいて、室内機７３の運転状態は「−１」であり、室内機７５の運転状態は「＋１」である。第２エリアＴＡｍから室内機７３，７５までの距離が、それぞれ１／（１．２Ｌ），１／（０．８Ｌ）である。これより、Σ（運転状態×距離の逆数）は、
（−１）×１．２Ｌ＋（＋１）×０．８Ｌ＝−０．４Ｌ
と計算される。
【０１１６】
図７に示すステップＳ１４では、Σ（運転状態×距離の逆数）がいずれの範囲であるのか判断される。Σ（運転状態×距離の逆数）が−０．３Ｌ以下であると判断されれば、ステップＳ１５へ進められる。Σ（運転状態×距離の逆数）が−０．３Ｌ超越＋０．３Ｌ未満であると判断されれば、ステップＳ１６へ進められる。Σ（運転状態×距離の逆数）が＋０．３Ｌ以上であると判断されれば、ステップＳ１７へ進められる。
【０１１７】
図７に示すステップＳ１５では、タスク優先モードで制御が行われる。すなわち、タスク空調装置群（Ｔ１，・・・）（図６参照）の運転が優先される。例えば、タスク空調装置Ｔ１３の室内機２０ｍ（図示せず）が、要求された設定温度の通りに運転される。
図７に示すステップＳ１６では、標準モードで制御が行われる。すなわち、タスク空調装置群（Ｔ１，・・・）（図６参照）の運転が、少し抑えられる。例えば、タスク空調装置Ｔ１４の室内機２０ｎ（図示せず）が、設定温度の空調に要求される負荷（または能力）の８０％の負荷（または能力）で運転される。
【０１１８】
図７に示すステップＳ１７では、アンビエント優先モードで制御が行われる。すなわち、タスク空調装置群（Ｔ１，・・・）（図６参照）の運転が、大幅に抑えられる。例えば、タスク空調装置Ｔ１５の室内機２０ｏ（図示せず）が、設定温度の空調に要求される負荷（または能力）の６０％の負荷（または能力）で運転される。
図７に示すステップＳ１８では、すべての第２エリアが選択されたか否かが判断される。すべての第２エリアが選択されたと判断された場合、処理が終了され、すべての第２エリアが選択されていないと判断された場合、ステップＳ１３へ進められる。
【０１１９】
したがって、第１相関関係と第３相関関係とに基づいてタスク環境提供装置群（Ｔ１，・・・）を制御するので、タスク環境提供装置群（Ｔ１，・・・）の無駄な運転を低減することができる。このため、全体として省エネルギー化を図ることができる。
（Ｆ）図４に示す相関関係記憶部１６ａに記憶されている第１相関関係、第２相関関係及び第３相関関係において、空間的な配置は図９，図１０に示すような２次元的な配置ではなく、１次元的な配置や３次元的な配置でもよい。
【０１２０】
（Ｇ）運転状態取得部７１ｇ，・・・（図５参照）や運転状態取得部２２ａ，・・・（図６参照）が運転状態を取得する方法は、運転状態が入力される方法の代わりに、アンビエント環境提供部７１ｅ，・・・（図５参照）やタスク環境提供部２８ａ，・・・（図６参照）の運転状態を検知する方法であってもよい。この場合、図２に示す室内機７１，・・・は、吸い込み空気温度測定センサ７１５ｇ，・・・と吹き出し空気温度測定センサ７１６ｇ，・・・とをさらに備えていてもよい。すなわち、吸い込み空気温度測定センサ７１５ｇ，・・・と吹き出し空気温度測定センサ７１６ｇ，・・・とが運転状態取得部７１ｇ，・・・（図５参照）に対応する。
【０１２１】
アンビエント空調装置群（Ａ１，・・・）（図５参照）の室内機群７０（７１，・・・）（図１参照）の空間的な配置の情報は、入力部１４に全て入力される代わりに一部だけ入力されてもよい。この場合、発光器３０ａ〜３０ｓ（図１１参照）や受光器５１〜５５（図１１参照）による相互位置認識を行わせることによって残りを自動的に入手するようにしてもよい。
【０１２２】
（Ｈ）図１に示すエリア別空調制御システム１は、情報入力端末群４０（４０ａ，４０ｂ，・・・）と通信線９０とをさらに備えてもよい。空調管理装置１０と情報入力端末群４０（４０ａ，４０ｂ，・・・）とは、通信線９０により接続されている。情報入力端末群４０（４０ａ，４０ｂ，・・・）は、タスク空調装置群（Ｔ１，・・・）（図６参照）の室内機群２０（２０ａ，２０ｂ，・・・）の作業台上に設置される。情報入力端末群４０（４０ａ，４０ｂ，・・・）は、個人群５（５ａ，５ｂ，・・・）が情報を入力するために使用する端末である。アンビエント空調装置群（Ａ１，・・・）（図５参照）の運転状態、アンビエント空調装置群（Ａ１，・・・）（図５参照）の空間的な配置、タスク空調装置群（Ｔ１，・・・）（図６参照）の運転状態及びタスク空調装置群（Ｔ１，・・・）（図６参照）の空間的な配置のうち少なくとも１つが取得される方法は、情報入力端末群４０（４０ａ，４０ｂ，・・・）に入力されることにより取得される方法であってもよい。なお、情報入力端末群４０（４０ａ，４０ｂ，・・・）を使用するのは、個人でなく、団体であってもよい。すなわち、情報入力端末群４０（４０ａ，４０ｂ，・・・）は、複数の個人で使用されるような端末が含まれていてもよい。
【０１２３】
（Ｉ）図４に示す相関関係記憶部１６ａに記憶されている第２相関関係において、タスク空調装置群（Ｔ１，・・・）（図６参照）の運転状態は、タスク空調装置群（Ｔ１，・・・）（図６参照）のそれぞれのＯＮ／ＯＦＦ状態、タスク空調装置群（Ｔ１，・・・）（図６参照）のそれぞれから供給される空調空気の温度、タスク空調装置群（Ｔ１，・・・）（図６参照）のそれぞれから供給される空調空気の湿度、タスク空調装置群（Ｔ１，・・・）（図６参照）のそれぞれから供給される空調空気の風向、タスク空調装置群（Ｔ１，・・・）（図６参照）のそれぞれから供給される空調空気の風量及びタスク空調装置群（Ｔ１，・・・）（図６参照）のそれぞれから供給される空調空気の清浄度のうち少なくとも１つを含んでもよい。図４に示す相関関係記憶部１６ａに記憶されている第３相関関係において、アンビエント空調装置群（Ａ１，・・・）（図５参照）の運転状態は、アンビエント空調装置群（Ａ１，・・・）（図５参照）のそれぞれのＯＮ／ＯＦＦ状態、アンビエント空調装置群（Ａ１，・・・）（図５参照）のそれぞれから供給される空調空気の温度、アンビエント空調装置群（Ａ１，・・・）（図５参照）のそれぞれから供給される空調空気の湿度、アンビエント空調装置群（Ａ１，・・・）（図５参照）のそれぞれから供給される空調空気の風向、アンビエント空調装置群（Ａ１，・・・）（図５参照）のそれぞれから供給される空調空気の風量及びアンビエント空調装置群（Ａ１，・・・）（図５参照）のそれぞれから供給される空調空気の清浄度のうち少なくとも１つを含んでもよい。なお、温度、湿度、風向、風量及び清浄度は、それぞれ、実際に提供される温度、湿度、風向、風量及び清浄度でもよいし、設定された温度、湿度、風向、風量及び清浄度でもよい。
【０１２４】
（Ｊ）アンビエント空調装置群（Ａ１，・・・）（図５参照）のそれぞれは、複数の第１エリアＡＡ１，ＡＡ２，・・・に空調環境を提供してもよい。この場合、図４に示す制御部１３が、少なくとも第２相関関係に基づいて、複数の第１エリアＡＡ１，ＡＡ２，・・・（図１２参照）のそれぞれに対して、アンビエント空調装置群（Ａ１，・・・）（図５参照）のそれぞれから供給される空調空気の風向及びアンビエント空調装置群（Ａ１，・・・）（図５参照）のそれぞれから供給される空調空気の風量の少なくとも１つを変えることにより空調制御を行ってもよい。すなわち、制御部１３が、室内機７１〜７５から吹き出される空気の流れを制御する気流制御を行ってもよい。この気流制御は、室内ファンの回転数を変更して吹き出し口から吹き出す空気の速度を制御する風速制御と、図２に示す垂直フラップ７１７ｅおよび水平フラップ（図示せず）を作動させて吹き出し空気の方向を変える風向制御とを含んでいる。
【０１２５】
図４に示す制御部１３は、タスク空調装置群（Ｔ１，・・・）（図６参照）のＯＮ／ＯＦＦ状態の空間的な配置に基づいて、風速制御と風向制御とを組み合わせ、各第１エリアＡＡ１，ＡＡ２，・・・に対して空調環境を提供する。例えば、制御部１３が冷房運転を行わせている場合を考える。例えば、図２０に示すように、個人５ａが使用するブロックＢ４から成るエリアに配備されているタスク空調装置Ｔ１の室内機２０ａがＯＮしており、個人５ｂが使用するブロックＢ１９から成るエリアに配備されているタスク空調装置Ｔ２の室内機２０ｂがＯＦＦしている場合を考える。図２０に示すように、個人５ａのブロックＢ４の斜め上方の室内機７１が、ブロックＢ４のエリア（第１エリアＡＡ１に含まれるエリア）に直接吹き出し空気が当たるように、吹き出し口７１ａ（図９参照）から下向きの空気流Ｗ２，Ｗ３を多くして斜め下方向きの空気流Ｗ１，Ｗ４を少なくする。また、個人５ｂのブロックＢ１９の斜め上方の室内機７２が、吹き出し口７２ａ（図９参照）から個人５ａのブロックＢ４（第１エリアＡＡ１に含まれるエリア）に向く斜め下向きの空気流Ｗ５を多く生成する。室内機７２からの空気流Ｗ５は、室内機７１からの空気流Ｗ３を個人５ａのブロックＢ４側へと導く役割も果たしている。一方、個人５ｂのブロックＢ１９（第１エリアＡＡ２に含まれるエリア）に空気流が直接当たらないように、ブロックＢ１９の斜め上方の室内機７２は、吹き出し口７２ａ（図９参照）から下向きの空気流Ｗ６，Ｗ７を少なくし、吹き出し口７２ａ（図９参照）から斜め下方向きの空気流Ｗ５，Ｗ８を多くするように制御されている。また、室内機７１の吹き出し口７１ｂ，７１ｄ（図９参照）や室内機７２の吹き出し口７２ｂ，７２ｄ（図９参照）から吹き出される空気についても、垂直フラップを作動させての左右の吹き出し方向の制御によって、個人５ａや個人５ｂのエリアに空調環境を提供している。
【０１２６】
なお、比較的シンプルな風速制御および風向制御について説明を行ったが、２つの室内機から吹き出された空気を所定のエリアの上部で衝突させてダウンフローを発生させたり、所定のエリア上部に１つの室内機から比較的冷たい空気を送るとともに、そのエリア下部に別の室内機から比較的暖かい空気を送ったりすることも考えられる。すなわち、空調空気の温度も加味して気流制御を行ってもよい。気流制御は、風速制御と風向制御との一方のみによって行われてもよい。
【０１２７】
また、室内機７１〜７５から吹き出される空気の流れを制御することにより各エリアにおいて快適な空調環境を実現しているが、各室内機が角度の変わる輻射パネルあるいは複数の輻射パネルを備えている場合には、輻射パネルの角度や各輻射パネルの個別制御などによって各エリアにおける快適な空調環境の提供を行わせることも考えられる。また、各エリアに共通の室内機が複数のペルチェ素子から成るパネルを備えている場合にも、各エリアに対して個別に空調環境を提供することが可能である。
【０１２８】
（Ｋ）上記変形例（Ｈ）において、図４に示すデータベース１６は、エリア位置情報１６ｅと相関特定情報１６ｆとをさらに備えてもよい。この場合、制御部１３は、発光器３０ａ〜３０ｓ（図１０参照）の位置の近傍のブロック（図８参照）を、その発光器３０ａ〜３０ｓ（図１０参照）が示すエリアとして特定する。ここでは、発光器３０ａ（図１０参照）が示すエリアがブロックＢ４、発光器３０ｂ（図１０参照）が示すエリアがブロックＢ１９、発光器３０ｃ（図１０参照）が示すエリアがブロックＢ４，Ｂ５、発光器３０ｄ（図１０参照）が示すエリアがブロックＢ５、発光器３０ｅ（図１０参照）が示すエリアがブロックＢ９、発光器３０ｆ（図１０参照）が示すエリアがブロックＢ９，Ｂ１０、発光器３０ｇ（図１０参照）が示すエリアがブロックＢ１０、発光器３０ｈ（図１０参照）が示すエリアがブロックＢ１９，Ｂ２０、発光器３０ｉ（図１０参照）が示すエリアがブロックＢ２０、発光器３０ｊ（図１０参照）が示すエリアがブロックＢ２４、発光器３０ｋ（図１０参照）が示すエリアがブロックＢ２４，Ｂ２５、発光器３０ｌ（図１０参照）が示すエリアがブロックＢ２５、発光器３０ｍ（図１０参照）が示すエリアがブロックＢ３、発光器３０ｎ（図１０参照）が示すエリアがブロックＢ３，Ｂ８、発光器３０ｏ（図１０参照）が示すエリアがブロックＢ８、発光器３０ｐ（図１０参照）が示すエリアがブロックＢ１８、発光器３０ｑ（図１０参照）が示すエリアがブロックＢ１８，Ｂ２３、発光器３０ｒ（図１０参照）が示すエリアがブロックＢ２３、発光器３０ｓ（図１０参照）が示すエリアがブロックＢ２１として特定される。こうして特定されたエリアは、エリアの位置としてブロック番号が当てられ、エリア位置情報ファイル１６ｅに記憶される。また、エリア名と、そのエリア名に対応する発光器のＩＤ番号との相関情報は、相関特定情報ファイル１６ｆに記憶されている。この相関情報は、個人５ａ〜５ｒ（図１０参照）又は代表者により情報入力端末４０ａ，４０ｂ，・・・（図１参照）に入力され、空調管理装置１０の第１送受信部１１が通信線９０経由で受信する情報である。相関特定情報ファイル１６ｆにあるエリア名と発光器のＩＤ番号との相関情報と、エリア位置情報ファイル１６ｅにある発光器の位置情報（ここではブロック名）とから、制御部１３は、エリア名と、そのエリア名のエリアの位置（ここではブロック名）との関係を決定する。例えば、個人５ａが使うエリア名をエリア５ａと命名し、その自分のエリアには発光器３０ａを設置したという情報とともにエリア５ａというエリア名を空調管理装置１０に送ると、制御部１３は、エリア位置情報ファイル１６ｅにある発光器３０ａとブロックＢ４とが対応しているという情報を合わせて、個人５ａのエリア５ａはブロックＢ４という位置にあるエリアであることを特定することになる。特定された位置の情報は、制御部１３からデータベース１６へ渡され、相関特定情報ファイル１６ｆに記憶される。
【０１２９】
（Ｌ）図７に示すタスク優先モードと標準モードとの閾値は２０％でなくてもよい。すなわち、２０％より小さい値でもよいし、２０％より大きい値でもよい。図７に示すアンビエント優先モードと標準モードとの閾値は８０％でなくてもよい。すなわち、８０％より小さい値でもよいし、８０％より大きい値でもよい。これらの閾値は、実験的に求めた値であってもよいし、計算により求めた値であってもよい。アンビエント空調装置群（Ａ１，・・・）（図５参照）の成績係数がタスク空調装置群（Ｔ１，・・・）（図６参照）の成績係数よりも小さくてもよい。この場合、第１エリアＡＡ１，・・・におけるタスク空調装置群（Ｔ１，・・・）（図６参照）の運転率が８０％以上のときにタスク優先モードで制御が行われてもよい。アンビエント空調装置群（Ａ１，・・・）（図５参照）の成績係数がタスク空調装置群（Ｔ１，・・・）（図６参照）の成績係数と同じでもよい。この場合、第１エリアＡＡ１，・・・におけるタスク空調装置群（Ｔ１，・・・）（図６参照）の運転率が８０％以上のときに標準モードで制御が行われてもよい。
【０１３０】
（Ｍ）オフィスビルではなく他の建造物に設置される空気調和装置の制御システムに対して、上記のエリア別空調制御システム１を適用することも可能である。例えば、病院の空調システムに対して本発明の制御方法を適用すれば、病院の大部屋内が各病人の空間に分かれている場合に、病人別空調ができるようになるとともに、病人ごとに入院費を調整して公平感を向上させることも可能になる。
【０１３１】
（Ｎ）第１実施形態では、受光器５１〜５５を天井埋設型の室内機７１〜７５から吊り下げる構造にしているが、受光器５１〜５５を室内機７１〜７５とは別に天井や側壁上部に設置することも可能である。また、必ずしも天井や側壁に支持させる構造に限定されるものではなく、床面から受光器支持部材を延ばして高い位置で受光器を固定させることも考えられる。
【０１３２】
［第２実施形態］
本発明の第２実施形態に係るエリア別空調制御システム１００を図２１に示す。また、エリア別空調制御システム１００の各構成要素の構成図を図２２〜図２４に示す。図２１〜図２４において、図１に示すエリア別空調制御システム１の構成要素と同様の構成要素は同じ番号で示してある。図２１に示すエリア別空調制御システム１００は、主としてアンビエント空調装置群（Ａ１０１，・・・）とタスク空調装置群（Ｔ１０１，・・・）とを制御するためのシステムである。
【０１３３】
このエリア別空調制御システム１００は、図２１〜図２４に示すように、基本的な構造は第１実施形態と同様であるが、アンビエント空調装置群（Ａ１０１，・・・）の室外機１６１，１６２，・・・とタスク空調装置群（Ｔ１０１，・・・）の室外機１６３，・・・とが異なる点で第１実施形態と異なる。すなわち、室外機群１６０（１６１，１６２，・・・）は、アンビエント空調装置群（Ａ１０１，・・・）の室外機１６１，１６２，・・・と、タスク空調装置群（Ｔ１０１，・・・）の室外機１６３，・・・と、を備える。図２２に示す空調管理装置１１０の制御部１１３は、室外機が異なるアンビエント空調装置群（Ａ１０１，・・・）及びタスク空調装置群（Ｔ１０１，・・・）を制御するための制御信号を生成する。第２送受信部１２は、アンビエント空調装置群（Ａ１０１，・・・）の制御信号及びタスク空調装置群（Ｔ１０１，・・・）の制御信号を制御部１１３から受け取り、通信線８０経由でアンビエント空調装置群（Ａ１０１，・・・）及びタスク空調装置群（Ｔ１０１，・・・）ヘ送信する。
【０１３４】
図２３に示すように、アンビエント空調装置Ａ１０１，・・・の室外機１６２，・・・の送受信部６２ａ，・・・は、アンビエント空調装置Ａ１０１，・・・の制御信号を通信線８０経由で空調管理装置１１０から受信し、アンビエント制御部１６２ｂ，・・・へ渡す。アンビエント制御部１６２ｂ，・・・は、アンビエント空調装置Ａ１０１，・・・の制御信号に基づいて、第１エリアＡＡ１，・・・に対して、室内機７１，・・・を制御するための制御信号を生成する。また、アンビエント制御部１６２ｂ，・・・は、アンビエント空調装置Ａ１０１，・・・の制御信号に基づいて、室外機１６２，・・・を制御する。
【０１３５】
図２４に示すように、タスク空調装置Ｔ１０１，・・・の室外機１６３，・・・の送受信部６３ａ，・・・は、タスク空調装置Ｔ１０１，・・・の制御信号を通信線８０経由で空調管理装置１１０から受信し、タスク制御部１６３ｃ，・・・へ渡す。タスク制御部１６３ｃ，・・・は、タスク空調装置Ｔ１０１，・・・の制御信号に基づいて、第２エリアＴＡａ，・・・に対して、室内機２０ａ，・・・を制御するための制御信号を生成する。また、タスク制御部１６２ｃ，・・・は、タスク空調装置Ｔ１０１，・・・の制御信号に基づいて、室外機１６３，・・・を制御する。これらの点で第１実施形態と異なる。
【０１３６】
第１相関関係と第２相関関係とに基づいてアンビエント空調装置群（Ａ１０１，・・・）及びタスク空調装置群（Ｔ１０１，・・・）を制御するので、アンビエント空調装置群（Ａ１０１，・・・）及びタスク空調装置群（Ｔ１０１，・・・）の無駄な運転が低減される点は、第１実施形態と同様である。したがって、このようなエリア別空調制御システム１００によっても、全体として省エネルギー化が図られる。
【０１３７】
［第３実施形態］
本発明の第３実施形態に係るエリア別空調制御システム２００を図２５に示す。また、エリア別空調制御システム２００の各構成要素の構成図を図２６〜図２８に示す。図２５〜図２８において、図１に示すエリア別空調制御システム１の構成要素と同様の構成要素は同じ番号で示してある。図２５に示すエリア別空調制御システム２００は、主としてアンビエント空調装置群（Ａ２０１，・・・）とタスク空調装置群（Ｔ２０１，・・・）とを制御するためのシステムである。
【０１３８】
このエリア別空調制御システム２００は、図２５〜図２８に示すように、基本的な構造は第１実施形態と同様であるが、室外機群２６０（２６２，・・・）のそれぞれが相関関係記憶部２６２ｄ，・・・をさらに備える点で第１実施形態と異なる。すなわち、図２６に示すように、空調管理装置２１０のデータベース２１６は、相関関係記憶部１６ａを備えていない。空調管理装置２１０の制御部２１３は、データベース２１６の運転状態情報１６ｂ、受光器位置情報１６ｃ及び発光器位置情報１６ｄを、第２送受信部１２と通信線８０とを経由して、アンビエント空調装置群（Ａ２０１，・・・）やタスク空調装置群（Ｔ２０１，・・・）へ送信する。
【０１３９】
図２７に示すように、アンビエント空調装置Ａ２０１，・・・の室外機２６２，・・・の送受信部６２ａ，・・・は、受光器位置情報１６ｃ及び発光器位置情報１６ｄを、通信線８０経由で受信して、アンビエント制御部２６２ｂ，・・・へ渡す。アンビエント制御部２６２ｂ，・・・は、受光器位置情報１６ｃと発光器位置情報１６ｄとに基づいて、アンビエント空調装置Ａ２０１，・・・の空間的な配置とタスク空調装置Ｔ２０１，・・・の空間的な配置との相関関係である第１相関関係を特定し、第１相関関係を相関関係記憶部２６２ｄ，・・・へ記憶させる。
【０１４０】
図２８に示すように、タスク空調装置Ｔ２０１，・・・の室外機２６２，・・・の送受信部６２ａ，・・・は、運転状態情報１６ｂ及び発光器位置情報１６ｄを、通信線８０経由で受信して、タスク制御部２６２ｃ，・・・へ渡す。タスク制御部２６２ｃ，・・・は、運転状態情報１６ｂ及び発光器位置情報１６ｄに基づいて、タスク空調装置Ｔ２０１，・・・の運転状態と空間的な配置との相関関係である第２相関関係を特定し、第２相関関係を相関関係記憶部２６２ｄ，・・・へ記憶させる。これらの点で第１実施形態と異なる。
【０１４１】
第１相関関係と第２相関関係とに基づいてアンビエント空調装置群（Ａ２０１，・・・）及びタスク空調装置群（Ｔ２０１，・・・）を制御するので、アンビエント空調装置群（Ａ２０１，・・・）及びタスク空調装置群（Ｔ２０１，・・・）の無駄な運転が低減される点は、第１実施形態と同様である。したがって、このようなエリア別空調制御システム２００によっても、全体として省エネルギー化が図られる。
【０１４２】
［第４実施形態］
本発明の第４実施形態に係るエリア別空調制御システム３００を図２９に示す。また、エリア別空調制御システム３００の各構成要素の構成図を図３０，図３１に示す。図２９〜図３１において、図１に示すエリア別空調制御システム１の構成要素と同様の構成要素は同じ番号で示してある。図２９に示すエリア別空調制御システム３００は、主としてアンビエント空調装置群（Ａ３０１，・・・）とタスク空調装置群（Ｔ３０１，・・・）とを制御するためのシステムである。
【０１４３】
このエリア別空調制御システム３００は、図２９〜図３１に示すように、基本的な構造は第１実施形態と同様であるが、空調管理装置１０が備えられていない点で第１実施形態と異なる。すなわち、図３０に示すように、アンビエント空調装置群（Ａ３０１，・・・）の室外機群３６０（３６２，・・・）（図２９参照）のそれぞれは、入力部３６２ｅ，・・・とデータベース３６２ｄ，・・・とをさらに備える。入力部３６２ｅ，・・・に、アンビエント空調装置Ａ３０１，・・・の空間的な配置の情報が入力される。アンビエント制御部３６２ｂ，・・・が、アンビエント空調装置Ａ３０１，・・・の空間的な配置の情報を、入力部３６２ｅ，・・・から受け取り、データベース３６２ｄ，・・・に受光器位置情報３６２ｈとして記憶させる。アンビエント制御部３６２ｂ，・・・が、タスク空調装置Ｔ３０１，・・・の空間的な配置の情報を、送受信部７１ｆ，・・・と通信線８０と送受信部６２ａ，・・・とを経由して、空間配置取得部７１ｈ，・・・から受け取り、データベース３６２ｄ，・・・に発光器位置情報３６２ｉ，・・・として記憶させる。アンビエント制御部３６２ｂ，・・・は、データベース３６２ｄ，・・・を参照して、アンビエント空調装置Ａ３０１，・・・の空間的な配置とタスク空調装置Ｔ３０１，・・・の空間的な配置との相関関係である第１相関関係を特定し、データベース３６２ｄ，・・・の相関関係記憶部３６２ｆ，・・・に第１相関関係を記憶させる。
【０１４４】
図３１に示すように、タスク空調装置Ｔ３０１，・・・の室外機３６２，・・・は、データベース３６２ｄ，・・・をさらに備える。タスク制御部３６２ｃ，・・・が、タスク空調装置Ｔ３０１，・・・の空間的な配置の情報を、送受信部７１ｆ，・・・（図３０参照）と通信線８０と送受信部６２ａ，・・・とを経由して、空間配置取得部７１ｈ，・・・（図３０参照）から受け取り、データベース３６２ｄ，・・・に発光器位置情報３６２ｉ，・・・として記憶させる。タスク制御部３６２ｃ，・・・が、タスク空調装置Ｔ３０１，・・・のＯＮ／ＯＦＦ状態の情報を、送受信部２１ａ，・・・と通信線８０と送受信部６２ａ，・・・とを経由して、運転状態取得部２２ａ，・・・から受け取り、データベース３６２ｄ，・・・に運転状態情報３６２ｇ，・・・として記憶させる。タスク制御部３６２ｃ，・・・は、データベース３６２ｄ，・・・を参照して、タスク空調装置Ｔ３０１，・・・の運転状態と空間的な配置との相関関係である第２相関関係を特定し、データベース３６２ｄ，・・・の相関関係記憶部３６２ｆ，・・・に第２相関関係を記憶させる。これらの点で第１実施形態と異なる。
【０１４５】
第１相関関係と第２相関関係とに基づいてアンビエント空調装置群（Ａ３０１，・・・）及びタスク空調装置群（Ｔ３０１，・・・）を制御するので、アンビエント空調装置群（Ａ３０１，・・・）及びタスク空調装置群（Ｔ３０１，・・・）の無駄な運転が低減される点は、第１実施形態と同様である。したがって、このようなエリア別空調制御システム３００によっても、全体として省エネルギー化が図られる。
【０１４６】
＜第４実施形態の変形例＞
（Ａ）アンビエント空調装置Ａ３０１，・・・のデータベース３６２ｄ，・・・やタスク空調装置Ｔ３０１，・・・のデータベース３６２ｄ，・・・は、第１実施形態の変形例（Ｋ）と同様に、エリア位置情報３６２ｊ，・・・と相関特定情報３６２ｋ，・・・とをさらに備えてもよい。
【産業上の利用可能性】
【０１４７】
本発明にかかるエリア別環境提供制御システム、アンビエント環境提供装置、タスク環境提供装置、エリア別環境提供制御方法及びエリア別環境提供制御プログラムは、全体として省エネルギー化を図ることができるという効果を有し、エリア別環境提供制御システム、アンビエント環境提供装置、タスク環境提供装置、エリア別環境提供制御方法及びエリア別環境提供制御プログラム等として有用である。
【図面の簡単な説明】
【０１４８】
【図１】本発明の第１実施形態によるエリア別空調制御システムの概念図。
【図２】本発明の第１実施形態によるアンビエント空調装置の室内機の構成図。
【図３】本発明の第１実施形態によるタスク空調装置の室内機の構成図。
【図４】本発明の第１実施形態による空調管理装置の構成図。
【図５】本発明の第１実施形態によるアンビエント空調装置の構成図。
【図６】本発明の第１実施形態によるタスク空調装置の構成図。
【図７】エリア別空調制御システムがアンビエント空調装置群とタスク空調装置群とを制御する処理の流れを示すフローチャート。
【図８】部屋のブロック割り（区画）を示す図。
【図９】アンビエント空調装置の室内機の平面配置図。
【図１０】部屋のレイアウト図。
【図１１】受光器および発光器の平面配置図。
【図１２】エリア別空調制御システムがアンビエント空調装置群とタスク空調装置群とを制御する際の動作を説明するための概念図。
【図１３】エリア別空調制御システムがアンビエント空調装置群とタスク空調装置群とを制御する際の動作を説明するための概念図。
【図１４】エリア別空調制御システムがアンビエント空調装置群とタスク空調装置群とを制御する際の動作を説明するための概念図。
【図１５】エリア別空調制御システムがアンビエント空調装置群とタスク空調装置群とを制御する際の動作を説明するための概念図。
【図１６】エリア別空調制御システムがアンビエント空調装置群とタスク空調装置群とを制御する際の動作を説明するための概念図。
【図１７】エリア別空調制御システムがアンビエント空調装置群とタスク空調装置群とを制御する際の動作を説明するための概念図。
【図１８】エリア別空調制御システムがアンビエント空調装置群とタスク空調装置群とを制御する処理の流れを示すフローチャート。
【図１９】エリア別空調制御システムがアンビエント空調装置群とタスク空調装置群とを制御する際の動作を説明するための概念図。
【図２０】気流制御の一例を示す図。
【図２１】本発明の第２実施形態によるエリア別空調制御システムの概念図。
【図２２】本発明の第２実施形態による空調管理装置の構成図。
【図２３】本発明の第２実施形態によるアンビエント空調装置の構成図。
【図２４】本発明の第２実施形態によるタスク空調装置の構成図。
【図２５】本発明の第３実施形態によるエリア別空調制御システムの概念図。
【図２６】本発明の第３実施形態による空調管理装置の構成図。
【図２７】本発明の第３実施形態によるアンビエント空調装置の構成図。
【図２８】本発明の第３実施形態によるタスク空調装置の構成図。
【図２９】本発明の第４実施形態によるエリア別空調制御システムの概念図。
【図３０】本発明の第４実施形態によるアンビエント空調装置の構成図。
【図３１】本発明の第４実施形態によるタスク空調装置の構成図。
【符号の説明】
【０１４９】
１，１００，２００，３００  エリア別空調制御システム
５  個人群
１０，１１０，２１０  空調管理装置
２０，７０  室内機群
３０  発光器群
４０  情報入力端末群
５０  受光器群
６０，１６０，２６０，３６０  室外機群
８０，９０  通信線
【図１】
2005201509.tif 000003
【図２】
2005201509.tif 000004
【図３】
2005201509.tif 000005
【図４】
2005201509.tif 000006
【図５】
2005201509.tif 000007
【図６】
2005201509.tif 000008
【図７】
2005201509.tif 000009
【図８】
2005201509.tif 000010
【図９】
2005201509.tif 000011
【図１０】
2005201509.tif 000012
【図１１】
2005201509.tif 000013
【図１２】
2005201509.tif 000014
【図１３】
2005201509.tif 000015
【図１４】
2005201509.tif 000016
【図１５】
2005201509.tif 000017
【図１６】
2005201509.tif 000018
【図１７】
2005201509.tif 000019
【図１８】
2005201509.tif 000020
【図１９】
2005201509.tif 000021
【図２０】
2005201509.tif 000022
【図２１】
2005201509.tif 000023
【図２２】
2005201509.tif 000024
【図２３】
2005201509.tif 000025
【図２４】
2005201509.tif 000026
【図２５】
2005201509.tif 000027
【図２６】
2005201509.tif 000028
【図２７】
2005201509.tif 000029
【図２８】
2005201509.tif 000030
【図２９】
2005201509.tif 000031
【図３０】
2005201509.tif 000032
【図３１】
2005201509.tif 000033